(57)【要約】【課題】利用者が自己の所望の楽曲を手軽に持ち運ぶことができ、また間違うことなく容易に再生することができる無線タグ、無線タグ読み取り端末、無線タグ作成装置、及び楽曲情報システムを提供する。【解決手段】情報を記憶するＩＣ回路部１５０と情報を送受信するためのタグ側アンテナ１５１とを備えた無線タグ回路素子Ｔoを有し、ＩＣ回路部１５０は、ＭＩＤＩ音源を駆動して楽曲を再生するためのＭＩＤＩデータを記憶保持している。【選択図】図１
2008268693.tif 000002
【特許請求の範囲】
【請求項１】
音源を駆動して楽曲を再生するための音源駆動データに関連する情報が表示された被表示媒体と、
前記被表示媒体に設けられ、情報を記憶するＩＣ回路部と情報を送受信するタグ側アンテナとを備えた無線タグ回路素子とを有し、
前記ＩＣ回路部は、
前記音源駆動データを記憶保持していることを特徴とする無線タグ。
【請求項２】
請求項１記載の無線タグにおいて、
前記被表示媒体としての、前記音源駆動データに関連する情報が印字された被印字媒体と、
前記被印字媒体又はこれに貼り合わせるタグ媒体に設けられた前記無線タグ回路素子とを有する
ことを特徴とする無線タグ。
【請求項３】
請求項２記載の無線タグにおいて、
前記ＩＣ回路部は、
前記楽曲の再生時に歌詞を画像表示するためのテキストデータを記憶保持していることを特徴とする無線タグ。
【請求項４】
請求項２又は請求項３記載の無線タグにおいて、
前記ＩＣ回路部は、
前記楽曲の再生時に効果音を鳴動するための効果音データを記憶保持していることを特徴とする無線タグ。
【請求項５】
請求項２乃至請求項４のいずれか１項記載の無線タグにおいて、
前記ＩＣ回路部は、
前記楽曲の属する音楽分野に関する識別子を記憶保持していることを特徴とする無線タグ。
【請求項６】
請求項２乃至請求項５のいずれか１項記載の無線タグにおいて、
前記ＩＣ回路部は、
前記音源駆動データにより駆動されて音声データを出力可能なタグ側音源手段を前記音源として記憶保持することを特徴とする無線タグ。
【請求項７】
楽曲を再生するための音源駆動データ又は音声データを記憶保持した楽曲用無線タグと無線通信を行うための端末側通信手段と、
前記端末側通信手段を介した無線通信により、前記楽曲用無線タグより前記音源駆動データ又は前記音声データを取得するデータ読み取り手段と、
前記データ読み取り手段で取得した前記音源駆動データ又は前記音声データに基づきしたがって再生される楽曲を増幅するための増幅手段と
を有することを特徴とする無線タグ読み取り端末。
【請求項８】
請求項７記載の無線タグ読み取り端末において、
前記増幅手段で増幅された楽曲を再生する発音手段
を有することを特徴とする無線タグ読み取り端末。
【請求項９】
請求項８記載の無線タグ読み取り端末において、
前記データ読み取り手段を介し前記楽曲用無線タグより取得された前記音源駆動データによって駆動される端末側音源手段を有し、
前記増幅手段は、
前記端末側音源手段からの発音信号を増幅し、
前記発音手段は、
前記増幅手段で増幅された発音信号に基づき前記楽曲を再生する
ことを特徴とする無線タグ読み取り端末。
【請求項１０】
請求項８記載の無線タグ読み取り端末において、
前記増幅手段は、
前記楽曲用無線タグに備えられたタグ側音源手段から前記データ読み取り手段を介し取得された前記音声データに基づく発音信号を増幅し、
前記発音手段は、
前記増幅手段で増幅された発音信号に基づき前記楽曲を再生する
ことを特徴とする無線タグ読み取り端末。
【請求項１１】
請求項８記載の無線タグ読み取り端末において、
前記データ読み取り手段は、
前記端末側通信手段を介した無線通信により、前記楽曲用無線タグに備えられたタグ側音源手段と、前記音源駆動データとを取得し、
前記増幅手段は、
前記データ読み取り手段を介し取得された前記タグ側音源手段が前記音源駆動データによって駆動された発音信号を増幅し、
前記発音手段は、
前記増幅手段で増幅された発音信号に基づき前記楽曲を再生する
ことを特徴とする無線タグ読み取り端末。
【請求項１２】
請求項７乃至請求項１１のいずれか１項記載の無線タグ読み取り端末において、
前記データ読み取り手段による前記楽曲用無線タグからのデータ取得に応じた課金データを生成し出力する端末側課金情報生成手段を有することを特徴とする無線タグ読み取り端末。
【請求項１３】
請求項７乃至請求項１２のいずれか１項記載の無線タグ読み取り端末において、
前記端末側通信手段を介し、データ読み取り手段が複数の前記楽曲用無線タグそれぞれより同時に又は順次取得した前記音源駆動データ又は前記音声データを、互いに調和するように関連づける関連処理手段を有する
ことを特徴とする無線タグ読み取り端末。
【請求項１４】
請求項１３記載の無線タグ読み取り端末において、
前記発音手段は、
前記関連処理手段で互いのデータが関連づけられた複数の楽曲を調和させて再生する
ことを特徴とする無線タグ読み取り端末。
【請求項１５】
請求項１３又は請求項１４記載の無線タグ読み取り端末において、
前記端末側通信手段を介した無線通信により、前記複数の楽曲用無線タグそれぞれが記憶した前記楽曲の属する音楽分野に関する識別子を同時に又は順次取得する識別子取得手段と、
前記識別子取得手段で取得した前記複数の楽曲用無線タグそれぞれに係わる複数の識別子を照合する照合手段と
を有することを特徴とする無線タグ読み取り端末。
【請求項１６】
楽曲用無線タグと無線通信を行うための装置側通信手段と、
前記装置側通信手段を介した無線通信により、楽曲を再生するために音源を駆動する音源駆動データを前記楽曲用無線タグへ書き込むデータ書き込み手段と
を有することを特徴とする無線タグ作成装置。
【請求項１７】
請求項１６記載の無線タグ作成装置において、
被印字媒体又はこれに貼り合わせるタグ媒体を搬送するための搬送手段と、
前記被印字媒体に対し所定のテキストを印字する印字手段とを有し、
前記装置側通信手段は、
前記被印字媒体又は前記タグ媒体に設けられ、情報を記憶するＩＣ回路部と情報を送受信するタグ側アンテナとを備えた無線タグ回路素子に対し、無線通信により情報送受信を行い、
前記データ書き込み手段は、
前記音源駆動データを、前記ＩＣ回路部に書き込む
ことを特徴とする無線タグ作成装置。
【請求項１８】
請求項１７記載の無線タグ作成装置において、
前記装置側通信手段は、
前記ＩＣ回路部にタグ側音源手段を備えた前記無線タグ回路素子に対し、無線通信により情報送受信を行い、
前記データ書き込み手段は、
前記タグ側音源手段を駆動するための音源駆動データを、前記ＩＣ回路部に書き込む
ことを特徴とする無線タグ作成装置。
【請求項１９】
請求項１７記載の無線タグ作成装置において、
前記装置側通信手段は、
前記ＩＣ回路部にタグ側音源手段を備えない前記無線タグ回路素子に対し、無線通信により情報送受信を行い、
前記データ書き込み手段は、
無線タグ読み取り端末での読み取り時に、該無線タグ読み取り端末に備えられた端末側音源手段を駆動するための音源駆動データを、前記ＩＣ回路部に書き込む
ことを特徴とする無線タグ作成装置。
【請求項２０】
請求項１６乃至請求項１９のいずれか１項記載の無線タグ作成装置において、
前記データ書き込み手段による前記楽曲用無線タグへのデータ書き込み、及び、前記無線タグ回路素子における前記タグ側音源手段の有無の少なくとも一方に応じた課金データを生成し出力する装置側課金情報生成手段を有する
ことを特徴とする無線タグ作成装置。
【請求項２１】
楽曲用無線タグと、無線タグ読み取り端末とを有する楽曲情報システムにおいて、
前記楽曲用無線タグは、
テキストが印字された被印字媒体と、
前記被印字媒体又はこれに貼り合わせるタグ媒体に設けられ、情報を記憶するＩＣ回路部と情報を送受信するタグ側アンテナとを備えた無線タグ回路素子とを有し、
前記ＩＣ回路部は、少なくとも、音源を駆動して楽曲を再生するための音源駆動データを記憶保持しており、
前記無線タグ読み取り端末は、
前記楽曲用無線タグと無線通信を行うための端末側通信手段と、
前記端末側通信手段を介した無線通信により、当該無線タグ読み取り端末の端末側音源を駆動するための前記音源駆動データ、若しくは、前記音源駆動データに基づき前記楽曲用無線タグのタグ側音源手段から出力された音声データを、前記楽曲用無線タグより取得するデータ読み取り手段と、
前記データ読み取り手段で取得した前記音源駆動データ又は前記音声データに基づきしたがって再生される楽曲を増幅するための増幅手段と
を有する
ことを特徴とする楽曲情報システム。
【発明の詳細な説明】
【技術分野】
【０００１】
本発明は、情報を記憶するＩＣ回路部と情報を送受信するタグ側アンテナとを備えた無線タグ回路素子を有する無線タグ、この無線タグから情報を読み取るための無線タグ読み取り端末、無線タグを作成するための無線タグ作成装置、及び楽曲情報システムに関する。
【背景技術】
【０００２】
無線タグとリーダ（読み取り装置）／ライタ（書き込み装置）との間で非接触で情報の読み取り／書き込みを行うＲＦＩＤ（Radio Frequency Identification）システムが知られている。無線タグに備えられた無線タグ回路素子は、所定の無線タグ情報を記憶するＩＣ回路部とこのＩＣ回路部に接続されて情報の送受信を行うタグアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用化されつつある。
【０００３】
例えばこのＲＦＩＤシステムをカラオケの選曲システムに適用した従来技術として、特許文献１に記載のものがある。この従来技術では、利用者がカラオケ装置で選曲を行った際に、その選曲情報（曲番号を示すデータ）がＩＣカードに設けられたＩＣ回路部に選曲履歴として記憶される。これにより、次回カラオケ利用時には、利用者がそのＩＣカードから読み出した選曲履歴から所望の曲を選択し、その選曲情報をカラオケ装置に送信することにより、自分の所望する曲を容易に選曲することを可能としている。
【０００４】
【特許文献１】特開平９−１２７９６７号公報
【発明の開示】
【発明が解決しようとする課題】
【０００５】
上記従来技術においては、カラオケ利用者がＩＣカードに記憶した選曲情報を用いて選曲を行うようにしているが、選曲情報は楽曲そのもののデータではなく曲番号を示すデータであるため、異なるカラオケ店を利用する場合や異なるメーカーのカラオケ装置を用いる場合等、同じ曲であっても曲番号形式が異なるような場合には所望の選曲ができないおそれがあった。また、カラオケ店によって新曲の配信ペースや楽曲の再生に用いられる音源設備が異なる場合があり、このために新曲に対応する選曲情報をＩＣカードに記憶させていてもその新曲が配信されていないカラオケ店では選曲することができなかったり、所望の曲を選曲することはできても利用者が所望する音で楽曲の再生がなされず、利用者が満足できないおそれがあった。さらには、上記従来技術ではＩＣカードから読み出した選曲履歴から利用者が所望の曲を選択するようにしているため、選曲手順中に利用者の操作による選択行為が介在し、誤った選曲が行われるおそれがあった。
【０００６】
本発明の目的は、利用者が自己の所望の楽曲を手軽に持ち運ぶことができ、また間違うことなく容易に再生することができる無線タグ、無線タグ読み取り端末、無線タグ作成装置、及び楽曲情報システムを提供することにある。
【課題を解決するための手段】
【０００７】
上記目的を達成するために、第１の発明は、音源を駆動して楽曲を再生するための音源駆動データに関連する情報が表示された被表示媒体と、前記被表示媒体に設けられ、情報を記憶するＩＣ回路部と情報を送受信するタグ側アンテナとを備えた無線タグ回路素子とを有し、前記ＩＣ回路部は、前記音源駆動データを記憶保持していることを特徴とする。
【０００８】
本願第１発明の無線タグにおいては、音源を駆動して楽曲を再生するための音源駆動データが、ＩＣ回路部に記憶されている。これにより、無線タグ読み取り端末で、この無線タグより音源駆動データ（又はこの音源駆動データに対応した音声データ）を取得することが可能となる。
【０００９】
すなわち、無線タグ読み取り端末に音源を備える場合には、無線タグより音源駆動データを取得することで、その音源駆動データに基づき無線タグ読み取り端末の音源で発音信号を発生させ、対応する楽曲の再生を行うことができる。
【００１０】
また無線タグに音源を備える場合には、音源駆動データを用いてその音源で音声データを復号させ、その復号した音声データを無線タグ読み取り端末で取得する。これにより、その音声データに基づく発音信号を用いて対応する楽曲の再生を行うことができる（無線タグにソフトウェア音源を備える場合にはソフトウェア音源と音源駆動データとを無線タグ読み取り端末で取得し、無線タグ読み取り端末においてその音源駆動データでソフトウェア音源を駆動し発音信号を発生させてもよい）。このように、無線タグに対し無線タグ読み取り端末で読み取りを行うだけで楽曲の再生を行えるので、利用者は自己の所望の楽曲を手軽に持ち運ぶことができ、また間違うことなく容易に再生することができる。
【００１１】
第２の発明は、上記第１発明において、前記被表示媒体としての、前記音源駆動データに関連する情報が印字された被印字媒体と、前記被印字媒体又はこれに貼り合わせるタグ媒体に設けられた前記無線タグ回路素子とを有することを特徴とする。
【００１２】
本願第２発明の無線タグにおいては、音源を駆動して楽曲を再生するための音源駆動データがＩＣ回路部に記憶されるとともに、上記音源駆動データに関連する情報（テキスト等）が被印字媒体に印字されている。これにより、無線タグ読み取り端末で、この無線タグより音源駆動データ（又はこの音源駆動データに対応した音声データ）を取得し再生を行う際に、操作者は無線タグの印字を見ることで音源駆動データに関する情報を認識することができる。その結果、操作者が誤った無線タグを用いることを回避でき、所望の楽曲を確実に再生することができる。
【００１３】
第３の発明は、上記第２発明において、前記ＩＣ回路部は、前記楽曲の再生時に歌詞を画像表示するためのテキストデータを記憶保持していることを特徴とする。
【００１４】
これにより、楽曲を再生するときに併せて歌詞を表示することが可能となるので、カラオケ用の楽曲としての再生を行うことができる。
【００１５】
第４の発明は、上記第２又は第３発明において、前記ＩＣ回路部は、前記楽曲の再生時に効果音を鳴動するための効果音データを記憶保持していることを特徴とする。
【００１６】
これにより、楽曲を再生するときに併せて効果音を再生することが可能となり、特にカラオケ用の楽曲としての再生を行うときに利用者の満足感を向上させることができる。
【００１７】
第５の発明は、上記第２乃至第４発明のいずれかにおいて、前記ＩＣ回路部は、前記楽曲の属する音楽分野に関する識別子を記憶保持していることを特徴とする。
【００１８】
これにより、識別子を活用し、楽曲のジャンルに応じた活用が可能となる。例えば、複数の無線タグがある場合に音楽分野ごとにグループ分けして読み取りを行ったり、読み取り後のデータを音楽分野ごとにグループ分けして格納あるいは再生したりすることが可能である。また効果音を併せて再生するときに、音楽分野に応じて効果音の態様を自動選択・変換するようにしたり、音楽分野に合致しない効果音を利用者が実行しようとした場合に、報知手段でその旨を利用者に報知又は警告したり、効果音を実行しないようにすることが可能となる。
【００１９】
第６の発明は、上記第２乃至第５発明のいずれかにおいて、前記ＩＣ回路部は、前記音源駆動データにより駆動されて音声データを出力可能なタグ側音源手段を前記音源として記憶保持することを特徴とする。
【００２０】
タグ側音源手段を備えることにより、ＩＣ回路部に記憶した音源駆動データを用いてこのタグ側音源手段で音声データを復号させることができる。これにより、復号した音声データを無線タグ読み取り端末で取得させることで、その音声データに基づく発音信号を用いて対応する楽曲の再生を行うことができる。あるいは、ソフトウェア音源を備える場合には、ソフトウェア音源と音源駆動データとを無線タグ読み取り端末で取得し、無線タグ読み取り端末においてその音源駆動データでソフトウェア音源を駆動し発音信号を発生させ、対応する楽曲の再生を行うようにしてもよい。
【００２１】
上記目的を達成するために、第７の発明は、楽曲を再生するための音源駆動データ又は音声データを記憶保持した楽曲用無線タグと無線通信を行うための端末側通信手段と、前記端末側通信手段を介した無線通信により、前記楽曲用無線タグより前記音源駆動データ又は前記音声データを取得するデータ読み取り手段と、前記データ読み取り手段で取得した前記音源駆動データ又は前記音声データに基づきしたがって再生される楽曲を増幅するための増幅手段とを有することを特徴とする。
【００２２】
本願第７発明の無線タグ読み取り端末においては、端末側通信手段を介し、データ読み取り手段が、楽曲用無線タグより音源駆動データ又は音声データを取得する。無線タグ読み取り端末で端末側音源を備える場合には、音源駆動データを取得することにより、その音源駆動データに基づき端末側音源が発音信号を発生し、これによって増幅手段での増幅後スピーカー等の発音手段で対応する楽曲の再生を行うことが可能となる。楽曲用無線タグでタグ側音源を備える場合には、音声データを取得することにより、その音声データに基づく発音信号を用いて、増幅手段での増幅後スピーカー等の発音手段で対応する楽曲の再生を行うことが可能となる（楽曲用無線タグにソフトウェア音源を備える場合にはソフトウェア音源と音源駆動データとを無線タグ読み取り端末で取得し、無線タグ読み取り端末においてその音源駆動データでソフトウェア音源を駆動し発音信号を発生させてもよい）。このように、楽曲用無線タグに対し無線タグ読み取り端末で読み取りを行うだけで楽曲の再生を行えるので、利用者は自己の所望の楽曲を手軽に持ち運ぶことができ、また間違うことなく容易に再生することができる。
【００２３】
第８の発明は、上記第７発明において、前記増幅手段で増幅された楽曲を再生する発音手段を有することを特徴とする。
【００２４】
増幅手段での増幅後、発音手段より所望の楽曲を再生することができる。
【００２５】
第９の発明は、上記第８発明において、前記データ読み取り手段を介し前記楽曲用無線タグより取得された前記音源駆動データによって駆動される端末側音源手段を有し、前記増幅手段は、前記端末側音源手段からの発音信号を増幅し、前記発音手段は、前記増幅手段で増幅された発音信号に基づき前記楽曲を再生することを特徴とする。
【００２６】
無線タグ読み取り端末で端末側音源手段を備えることにより、楽曲より取得した音源駆動データに基づき端末側音源手段が発音信号を発生することができる。これにより、その発音信号に基づき、発音手段で対応する楽曲の再生を行うことができる。また、無線タグ読み取り端末側に音源を備えることで、楽曲用無線タグ側に音源を備える必要がなくなる。この結果、楽曲用無線タグのメモリの容量が少ない場合であっても所望の楽曲を手軽に持ち運ぶことができ、また持ち運べる楽曲数を増やすことができる。
【００２７】
第１０の発明は、上記第８発明において、前記増幅手段は、前記楽曲用無線タグに備えられたタグ側音源手段から前記データ読み取り手段を介し取得された前記音声データに基づく発音信号を増幅し、前記発音手段は、前記増幅手段で増幅された発音信号に基づき前記楽曲を再生することを特徴とする。
【００２８】
楽曲用無線タグがタグ側音源手段を備えることにより、データ読み取り手段で取得した音声データに基づく発音信号を用いて、発音手段で対応する楽曲の再生を行うことができる。また、楽曲用無線タグ側に音源を備えることで、無線タグ読み取り端末側に音源がなかったりスペックが足りなかったりしても、単に読み取り機能さえあれば所望の楽曲を確実に再生可能である。
【００２９】
第１１の発明は、上記第８発明において、前記データ読み取り手段は、前記端末側通信手段を介した無線通信により、前記楽曲用無線タグに備えられたタグ側音源手段と、前記音源駆動データとを取得し、前記増幅手段は、前記データ読み取り手段を介し取得された前記タグ側音源手段が前記音源駆動データによって駆動された発音信号を増幅し、前記発音手段は、前記増幅手段で増幅された発音信号に基づき前記楽曲を再生することを特徴とする。
【００３０】
楽曲用無線タグがタグ側音源手段を備え、このタグ側音源手段がソフトウェア音源である場合、これを音源駆動データとともにデータ読み取り手段で取得することができる。そして、取得したタグ側音源手段を取得した音源駆動データで駆動して発音信号を発生させれば、これを用いて発音手段で対応する楽曲の再生を行うことができる。また、楽曲用無線タグ側に音源を備えることで、無線タグ読み取り端末側に音源がなかったりスペックが足りなかったりしても、単に読み取り機能さえあれば所望の楽曲を確実に再生可能である。
【００３１】
第１２の発明は、上記第７乃至第１１発明のいずれかにおいて、前記データ読み取り手段による前記楽曲用無線タグからのデータ取得に応じた課金データを生成し出力する端末側課金情報生成手段を有することを特徴とする。
【００３２】
これにより、利用者の利用に対応して課金を行うことが可能となり、楽曲提供サービスを実現することができる。また楽曲数、各楽曲のデータ量、無線タグ読み取り端末側の音源の有無（音源の利用の有無）等に応じ、課金額を増減することも可能となり、利用者のニーズに対応したきめ細かなサービスを行うことができる。
【００３３】
第１３の発明は、上記第７乃至第１２発明のいずれかにおいて、前記端末側通信手段を介し、データ読み取り手段が複数の前記楽曲用無線タグそれぞれより同時に又は順次取得した前記音源駆動データ又は前記音声データを、互いに調和するように関連づける関連処理手段を有することを特徴とする。
【００３４】
これにより、利用者が複数の楽曲用無線タグを読み取らせることで、それぞれに対応した楽曲を、合わせて再生したり、途中から一緒に再生したり、片方を途中で停止してもう片方を再生したり、複数曲連続して再生したりすることが可能となる。
【００３５】
第１４の発明は、上記第１３発明において、前記発音手段は、前記関連処理手段で互いのデータが関連づけられた複数の楽曲を調和させて再生することを特徴とする。
【００３６】
これにより、利用者が読み取らせた複数の楽曲用無線タグそれぞれに対応した楽曲を、合わせて再生したり、途中から一緒に再生したり、片方を途中で停止してもう片方を再生したり、複数曲連続して再生したりし、多種多様なサービスを行うことができる。
【００３７】
第１５の発明は、上記第１３又は第１４発明において、前記端末側通信手段を介した無線通信により、前記複数の楽曲用無線タグそれぞれが記憶した前記楽曲の属する音楽分野に関する識別子を同時に又は順次取得する識別子取得手段と、前記識別子取得手段で取得した前記複数の楽曲用無線タグそれぞれに係わる複数の識別子を照合する照合手段とを有することを特徴とする。
【００３８】
楽曲用無線タグに識別子を記憶させておき、これを照合手段で照合する。これにより、ジャンルの全く異なる複数の楽曲に関わる楽曲用無線タグを利用者が読み取らせた場合に、（照合手段での照合不一致の結果に応じ）報知手段でその旨を利用者に報知又は警告したり、非再生処理手段を設けて片方の再生を実行しないようにすることが可能となる。
【００３９】
上記目的を達成するために、第１６の発明は、楽曲用無線タグと無線通信を行うための装置側通信手段と、前記装置側通信手段を介した無線通信により、楽曲を再生するために音源を駆動する音源駆動データを前記楽曲用無線タグへ書き込むデータ書き込み手段とを有することを特徴とする。
【００４０】
本願第１６発明の無線タグ作成装置においては、装置側通信手段を介し、データ書き込み手段が、楽曲再生時に音源を駆動するための音源駆動データを楽曲用無線タグに書き込む。これにより、無線タグ読み取り端末を用いて、この楽曲用無線タグより音源駆動データ（又はこの音源駆動データに対応した音声データ）を取得することが可能となる。
【００４１】
すなわち、無線タグ読み取り端末に音源を備える場合には、楽曲用無線タグより音源駆動データを取得することで、その音源駆動データに基づき無線タグ読み取り端末の音源で発音信号を発生させ、対応する楽曲の再生を行うことができる。また、楽曲用無線タグに音源を備える場合には、音源駆動データを用いてその音源で音声データを復号させ、その復号した音声データを無線タグ読み取り端末で取得する。これにより、その音声データに基づく発音信号を用いて対応する楽曲の再生を行うことができる（楽曲用無線タグにソフトウェア音源を備える場合にはソフトウェア音源と音源駆動データとを無線タグ読み取り端末で取得し、無線タグ読み取り端末においてその音源駆動データでソフトウェア音源を駆動し発音信号を発生させてもよい）。このように、本願第１６発明によれば、作成した楽曲用無線タグに対し無線タグ読み取り端末で読み取りを行うだけで楽曲の再生を行えるので、利用者は自己の所望の楽曲を手軽に持ち運ぶことができ、また間違うことなく容易に再生することができる。
【００４２】
第１７の発明は、上記第１６発明において、被印字媒体又はこれに貼り合わせるタグ媒体を搬送するための搬送手段と、前記被印字媒体に対し所定のテキストを印字する印字手段とを有し、前記装置側通信手段は、前記被印字媒体又は前記タグ媒体に設けられ、情報を記憶するＩＣ回路部と情報を送受信するタグ側アンテナとを備えた無線タグ回路素子に対し、無線通信により情報送受信を行い、前記データ書き込み手段は、前記音源駆動データを、前記ＩＣ回路部に書き込むことを特徴とする。
【００４３】
搬送手段で被印字媒体（又はタグ媒体）を搬送し、その被印字媒体に印字手段で印字を行い、そして音源駆動データをＩＣ回路部に書き込むことで、所望のテキストを備えた印字付き楽曲用無線タグを作成することができる。
【００４４】
第１８の発明は、上記第１７発明において、前記装置側通信手段は、前記ＩＣ回路部にタグ側音源手段を備えた前記無線タグ回路素子に対し、無線通信により情報送受信を行い、前記データ書き込み手段は、前記タグ側音源手段を駆動するための音源駆動データを、前記ＩＣ回路部に書き込むことを特徴とする。
【００４５】
楽曲用無線タグがタグ側音源手段を備える場合には、データ書き込み手段で音源駆動データをＩＣ回路部に書き込むことで、（無線タグ読み取り端末での読み取り時に）楽曲用無線タグがその音源駆動データを用いてタグ側音源で音声データを復号させ、その音声データを無線タグ読み取り端末で取得する。これにより、その音声データに基づく発音信号を用いて対応する楽曲の再生を行うことができる（楽曲用無線タグのタグ側音源手段がソフトウェア音源である場合には、書き込んだ音源駆動データと、ソフトウェア音源とを無線タグ読み取り端末で取得し、無線タグ読み取り端末においてその取得したソフトウェア音源を取得した音源駆動データで駆動し発音信号を発生させてもよい）。
【００４６】
第１９の発明は、上記第１７発明において、前記装置側通信手段は、前記ＩＣ回路部にタグ側音源手段を備えない前記無線タグ回路素子に対し、無線通信により情報送受信を行い、前記データ書き込み手段は、無線タグ読み取り端末での読み取り時に、該無線タグ読み取り端末に備えられた端末側音源手段を駆動するための音源駆動データを、前記ＩＣ回路部に書き込むことを特徴とする。
【００４７】
無線タグ読み取り端末が端末側音源手段を備える場合には、データ書き込み手段で音源駆動データをＩＣ回路部に書き込むことで、（無線タグ読み取り端末での読み取り時に）楽曲用無線タグより取得した音源駆動データに基づき、端末側音源手段が発音信号を発生することができる。これにより、その発音信号に基づき、発音手段で対応する楽曲の再生を行うことができる。
【００４８】
第２０の発明は、上記第１６乃至第１９発明のいずれかにおいて、前記データ書き込み手段による前記楽曲用無線タグへのデータ書き込み、及び、前記無線タグ回路素子における前記タグ側音源手段の有無の少なくとも一方に応じた課金データを生成し出力する装置側課金情報生成手段を有することを特徴とする。
【００４９】
これにより、利用者の利用に対応して課金を行うことが可能となり、楽曲提供サービスを実現することができる。また楽曲数、各楽曲のデータ量、タグ側音源手段の有無等に応じ、課金額を増減することも可能となり、利用者のニーズに対応したきめ細かなサービスを行うことができる。
【００５０】
上記目的を達成するために、第２１の発明は、楽曲用無線タグと、無線タグ読み取り端末とを有する楽曲情報システムにおいて、前記楽曲用無線タグは、テキストが印字された被印字媒体と、前記被印字媒体又はこれに貼り合わせるタグ媒体に設けられ、情報を記憶するＩＣ回路部と情報を送受信するタグ側アンテナとを備えた無線タグ回路素子とを有し、前記ＩＣ回路部は、少なくとも、音源を駆動して楽曲を再生するための音源駆動データを記憶保持しており、前記無線タグ読み取り端末は、前記楽曲用無線タグと無線通信を行うための端末側通信手段と、前記端末側通信手段を介した無線通信により、当該無線タグ読み取り端末の端末側音源を駆動するための前記音源駆動データ、若しくは、前記音源駆動データに基づき前記楽曲用無線タグのタグ側音源手段から出力された音声データを、前記楽曲用無線タグより取得するデータ読み取り手段と、前記データ読み取り手段で取得した前記音源駆動データ又は前記音声データに基づきしたがって再生される楽曲を増幅するための増幅手段とを有することを特徴とする。
【００５１】
本願第２１発明の楽曲情報システムにおいては、無線タグ読み取り端末のデータ読み取り手段が、端末側通信手段を介し、楽曲用無線タグより音源駆動データ（又は音声データ）を取得する。無線タグ読み取り端末が端末側音源を備える場合には、無線タグ読み取り端末のデータ読み取り手段で音源駆動データを取得することにより、その音源駆動データに基づき端末側音源が発音信号を発生し、これによって増幅手段での増幅後スピーカー等の発音手段で対応する楽曲の再生を行うことが可能となる。楽曲用無線タグがタグ側音源を備える場合には、無線タグ読み取り端末のデータ読み取り手段が音声データを取得することにより、その音声データに基づく発音信号を用いて、増幅手段での増幅後スピーカー等の発音手段で対応する楽曲の再生を行うことが可能となる（楽曲用無線タグにソフトウェア音源を備える場合にはソフトウェア音源と音源駆動データとを無線タグ読み取り端末のデータ読み取り手段で取得し、無線タグ読み取り端末においてその音源駆動データでソフトウェア音源を駆動し発音信号を発生させてもよい）。このように、楽曲用無線タグに対し無線タグ読み取り端末より読み取りを行うだけで楽曲の再生を行えるので、利用者は自己の所望の楽曲を手軽に持ち運ぶことができ、また間違うことなく容易に再生することができる。
【発明の効果】
【００５２】
本発明によれば、利用者が自己の所望の楽曲を手軽に持ち運ぶことができ、また間違うことなく容易に再生することができる。
【発明を実施するための最良の形態】
【００５３】
以下、本発明の第１の実施の形態を図面を参照しつつ説明する。本実施形態は、本発明をカラオケ装置に適用した場合の実施形態である。
【００５４】
図１は、本実施形態のカラオケシステム１（楽曲情報システム）の全体構成を表すシステム構成図である。なお、図中に示す矢印は信号の流れの一例を示すものであり、信号の流れ方向を限定するものではない。
【００５５】
図１において、カラオケシステム１は、ＭＩＤＩ（Musical Instrument Digital Interface。登録商標）データ等のカラオケ情報（音源駆動データに関連する情報。詳細は後述）を記憶するＩＣ回路部１５０及びこのＩＣ回路部１５０に接続されるタグ側アンテナ１５１を備えた無線タグ回路素子Ｔo（後述の図５参照）を有する無線タグＴ（楽曲用無線タグ）と、通信カラオケ用の専用回線（又はインターネットでもよい）である通信回線ＮＷを介して図示しない通信カラオケサーバから取得されるカラオケ情報又は上記無線タグＴから取得されるカラオケ情報に基づき、楽曲を再生するカラオケ装置１００とを有している。
【００５６】
上記カラオケ装置１００は、カラオケ装置本体１１０（無線タグ読み取り端末）と、上記ＭＩＤＩデータ等のカラオケ情報を記憶させた無線タグＴを作成するための無線タグ作成部３００と、利用者が選曲等の操作を行うための操作端末（リモコン等）１３０と、楽曲の再生に合わせて再生される映像を表示するための映像表示装置１４０と、再生された楽曲を音声出力するスピーカ１７０（発音手段）と、マイク１６０とを有している。なお、ここではカラオケ装置本体１１０と無線タグ作成部３００、操作端末１３０、映像表示装置１４０、及びスピーカ１７０を別体として構成しているが、これらの少なくとも１つをカラオケ装置本体１１０と一体的に構成してもよい。
【００５７】
上記カラオケ装置本体１１０は、上記無線タグ作成部３００で作成された無線タグＴの無線タグ回路素子Ｔoから無線通信を介して無線タグ情報（ここではカラオケ情報）を読み取り、この読み取った情報に基づき楽曲を再生するためのリーダ部２００と、上記通信回線ＮＷを介して図示しない通信カラオケサーバからカラオケ情報を取得する際に行われる通信の制御を行う通信制御部１１１と、上記操作端末１３０から操作信号を入力する際に行われる通信制御を行う入力制御部１１２とを有している。なお、ここではリーダ部２００をカラオケ装置本体１１０に対し一体的に設けるようにしたが、別体として構成してもよい。
【００５８】
またカラオケ装置本体１１０は、楽曲の再生に合わせて再生される映像データ等が記憶される記憶部１１３と、この記憶部１１３から読み出された映像データを再生するための映像再生部１１４と、上記通信回線ＮＷを介して、又は無線タグＴから取得されるカラオケ情報に含まれる歌詞データ（テキストデータ）に基づき字幕データを生成する字幕映像生成部１１５と、上記映像データと字幕データとを合成して上記画像表示装置１４０に出力する映像合成部１１６とを有している。
【００５９】
さらにカラオケ装置本体１１０は、上記カラオケ情報に含まれるオーディオエフェクト設定情報に基づき、例えばコーラス音や拍手音、爆発音等の効果音データであるオーディオエフェクトデータを生成するオーディオエフェクト生成部１１７と、上記カラオケ情報に含まれるＭＩＤＩデータに基づきＭＩＤＩ音源を駆動させ対応する楽曲を再生させるＭＩＤＩデコーダ１１８（端末側音源手段）と、このＭＩＤＩデコーダ１１８で生成された楽曲再生データ（発音データ）に、上記オーディオエフェクト生成部１１７で生成されたオーディオエフェクトデータ及び上記マイク１６０を介して入力される利用者の音声データを加え、Ｄ／Ａ変換を行って上記スピーカ１７０に出力するオーディオミキシングアンプ１１９（増幅手段）と、このオーディオミキシングアンプ１１９及び上記映像合成部１１６に対しそれぞれの出力の同期を取るための同期信号を出力する同期回路１２０と、上記記憶部１１３、映像再生部１１４、字幕映像生成部１１５、オーディオエフェクト生成部１１７、ＭＩＤＩデコーダ１１８、及び同期回路１２０等とバス１２１を介して接続され、カラオケ装置本体１１０全体の制御を行う制御回路１２２とを有している。
【００６０】
上記制御回路１２２は、特に図示して説明はしないが、いわゆるマイクロコンピュータであり、中央演算処理装置であるＣＰＵ、ＲＯＭ、ＲＡＭ等から構成され、ＲＡＭの一時記憶機能を利用しつつＲＯＭに予め記憶されたプログラムに従ってカラオケ再生や無線タグ作成等の制御（後述の図７及び図９等参照）を行うようになっている。
【００６１】
図２は、上記無線タグ作成部３００の構成を概念的に表す全体構成図である。なお、図中に示す矢印は信号の流れの一例を示すものであり、信号の流れ方向を限定するものではない。
【００６２】
図２において、上記無線タグ作成部３００は、所定間隔で無線タグ回路素子Ｔoが備えられたタグテープ３０３（被表示媒体、被印字媒体、タグ媒体）を巻回したタグテープロール３０４（本来は渦巻き状であるが簡略化して同心円で図示している）と、このタグテープロール３０４から繰り出されたタグテープ３０３の被印字層（図示せず）のうち各無線タグ回路素子Ｔoに対応した領域に所定の印字を行う印字ヘッド３０５（印字手段）と、タグテープ３０３を搬送する搬送ローラ３０８（搬送手段）と、無線タグ回路素子Ｔoとの間で無線通信により情報の送受信を行い無線タグ情報（ここではカラオケ情報）の書き込みを行うアンテナ３０６（装置側通信手段）及び高周波回路３０１と、タグテープ３０３への印字及び無線タグ回路素子Ｔoへの情報書き込みが終了したタグテープ３０３を所定の長さに切断して前述の無線タグＴとするカッタ３０７とを有している。以上の高周波回路３０１、印字ヘッド３０５、カッタ３０７、及び搬送ローラ３０８は、上記制御回路１２２により制御される。
【００６３】
なお、上記ではタグテープ３０３（に備えられた図示しない被印字テープ層）に印字を行う方式（感熱（熱転写）テープ等の貼りあわせを行わないいわゆるノンラミネートタイプ）の無線タグＴを作成するように無線タグ作成部３００を構成したが、これに限られず、無線タグ回路素子Ｔoを備えた基材テープ３０３とは別のカバーフィルム（被表示媒体、被印字媒体）に印字を行ってこれらを貼り合わせる方式（いわゆるラミネートタイプ）の無線タグＴを作成するように無線タグ作成部３００を構成してもよい。
【００６４】
図３は、上記リーダ部２００の構成を概念的に表す全体構成図である。なお、図中に示す矢印は信号の流れの一例を示すものであり、信号の流れ方向を限定するものではない。
【００６５】
図３において、上記リーダ部２００は、上記無線タグＴに備えられる無線タグ回路素子Ｔoのタグ側アンテナ１５１との間で無線通信により信号の授受を行うアンテナ２１０（端末側通信手段）と、このアンテナ２１０を介し上記無線タグ回路素子ＴoのＩＣ回路部１５０へアクセスする（この例では読み取りを行う）とともに、無線タグ回路素子Ｔoから読み出された信号を処理する高周波回路２０１とを有している。上記高周波回路２０１は、上記制御回路１２２により制御される。すなわち、制御回路１２２は、上記アンテナ２１０及び高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する。
【００６６】
図４は、上記高周波回路３０１の詳細構成を表す機能ブロック図である。なお、ここでは図示していないが、リーダ部２００の高周波回路２０１も以下説明する高周波回路３０１と同等の構成である。また、図中に示す矢印は信号の流れの一例を示すものであり、信号の流れ方向を限定するものではない。
【００６７】
図４において、高周波回路３０１は、アンテナ３０６を介し無線タグ回路素子Ｔoに対して信号を送信する送信部３１２と、アンテナ３０６により受信された無線タグ回路素子Ｔoからの反射波を入力する受信部３１３と、送受分離器３１４とから構成される。
【００６８】
送信部３１２は、無線タグ回路素子ＴoのＩＣ回路部１５０の無線タグ情報を読み取るための搬送波を発生させる水晶振動子３３０、制御回路１２２の制御により所定の周波数の信号を発生させるＰＬＬ（Phase  Locked  Loop）３３１、及びＶＣＯ（Voltage  Controlled  Oscillator）３３２と、上記制御回路１２２から供給される信号に基づいて上記発生させられた搬送波を変調（この例では制御回路１２２からの「ＴＸ＿ＡＳＫ」信号に基づく振幅変調）する送信乗算回路３１６（但し「ＴＸ＿ＡＳＫ信号」の場合は増幅率可変アンプ等を用いてもよい）と、その送信乗算回路３１６により変調された変調波を増幅（この例では制御回路１２２からの「ＴＸ＿ＰＷＲ」信号によって増幅率を決定される増幅）する送信アンプ３１７とを備えている。そして、上記発生される搬送波は、好適にはＵＨＦ帯、マイクロ波帯、あるいは短波帯の周波数を用いており、上記送信アンプ３１７の出力は、送受分離器３１４を介しアンテナ３０６に伝達されて、無線タグ回路素子ＴoのＩＣ回路部１５０に供給される。なお、無線タグ情報は上記のように変調した信号に限られず、単なる搬送波のみの場合もある。
【００６９】
受信部３１３は、アンテナ３０６で受信された無線タグ回路素子Ｔoからの反射波と上記発生させられた搬送波とを乗算して復調する受信第１乗算回路３１８と、その受信第１乗算回路３１８の出力から必要な帯域の信号のみを取り出すための第１バンドパスフィルタ３１９と、この第１バンドパスフィルタ３１９の出力を増幅する受信第１アンプ３２１と、この受信第１アンプ３２１の出力をさらに増幅してデジタル信号に変換する第１リミッタ３２０と、上記アンテナ３０６で受信された無線タグ回路素子Ｔoからの反射波と上記発生された後に移相器３２７により位相を９０°遅らせた搬送波とを乗算する受信第２乗算回路３２２と、その受信第２乗算回路３２２の出力から必要な帯域の信号のみを取り出すための第２バンドパスフィルタ３２３と、この第２バンドパスフィルタ３２３の出力を増幅する受信第２アンプ３２５と、この受信第２アンプ３２５の出力をさらに増幅してデジタル信号に変換する第２リミッタ３２４とを備えている。そして、上記第１リミッタ３２０から出力される信号「ＲＸＳ−Ｉ」及び第２リミッタ３２４から出力される信号「ＲＸＳ−Ｑ」は、上記制御回路１２２に入力されて処理される。
【００７０】
また、受信第１アンプ３２１及び受信第２アンプ３２５の出力は、強度検出手段としてのＲＳＳＩ（Received  Signal  Strength  Indicator)回路３２６にも入力され、それらの信号の強度を示す信号「ＲＳＳＩ」が制御回路１２２に入力されるようになっている。このようにして、本実施形態では、Ｉ−Ｑ直交復調によって無線タグ回路素子Ｔoからの反射波の復調が行われる。
【００７１】
図５は、上記無線タグＴに備えられた上記無線タグ回路素子Ｔoの機能的構成の一例を表すブロック図である。なお、図中に示す矢印は信号の流れの一例を示すものであり、信号の流れ方向を限定するものではない。
【００７２】
図５において、無線タグ回路素子Ｔoは、無線タグ作成時には上記無線タグ作成部３００のアンテナ３０６と非接触で信号の送受信を行い、無線タグ読み取り時には上記リーダ部２００のアンテナ２１０と非接触で信号の送受信を行う上記タグ側アンテナ１５１と、このタグ側アンテナ１５１に接続された上記ＩＣ回路部１５０とをそれぞれ有している。
【００７３】
ＩＣ回路部１５０は、タグ側アンテナ１５１により受信された質問波を整流する整流部１５２と、この整流部１５２により整流された質問波のエネルギを蓄積しＩＣ回路部１５０の駆動電源とするための電源部１５３と、上記タグ側アンテナ１５１により受信された質問波からクロック信号を抽出して後述する制御部１５７に供給するクロック抽出部１５４と、所定の情報信号を記憶し得る情報記憶部として機能するメモリ部１５５と、上記タグ側アンテナ１５１に接続された変復調部１５６と、上記整流部１５２、クロック抽出部１５４及び変復調部１５６等を介して上記無線タグ回路素子Ｔoの作動を制御するための制御部１５７とを備えている。
【００７４】
変復調部１５６は、タグ側アンテナ１５１により受信された上記無線タグ作成部３００のアンテナ３０６（又はリーダ部２００のアンテナ２１０）からの通信信号の復調を行うと共に、上記制御部１５７からの返信信号に基づき、タグ側アンテナ１５１で受信した質問波を変調し、タグ側アンテナ１５１より応答波として再送信する。
【００７５】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００７６】
クロック抽出部１５４は受信した信号からクロック成分を抽出して制御部１５７にクロックを抽出するものであり、受信した信号のクロック成分の速度に対応したクロックを制御部１５７に供給する。
【００７７】
上記メモリ部１５５には、上記カラオケ情報が記憶されている。
【００７８】
図６は、上記メモリ部１５５のデータ内容を概念的に表す図である。
【００７９】
この図６において、無線タグＴの無線タグ回路素子Ｔoは、無線タグ回路素子Ｔoの固有の識別情報であるＵＩＤ（Unique Identifier）と、上記カラオケ情報とをメモリ部１５５に記憶保持している。このカラオケ情報には、所望の楽曲（楽器のソロ演奏や、サンプリング録音による人・動物等の各種音声、ベル・アラーム音、川のせせらぎ、車のエンジン音等、再現可能な世の中の音をすべて含む。また時間の長短は問わない）を再生するための音源駆動データであるＭＩＤＩデータ（国際的に規格化された情報で、音色、音程、音量などを示す情報）と、歌詞データと、楽曲のキーの設定を表すキー設定情報（原曲に対するプラスマイナスで表される）と、前述したオーディオエフェクト生成部１１７によるオーディオエフェクトデータ（コーラス音や拍手音、爆発音等の効果音）の生成を設定するオーディオエフェクト設定情報と、楽曲の属する音楽分野（クラシック、ジャズ、ロック、ポップス等）に関する識別子を表すジャンルコード情報と、その他曲名、歌手名、収録アルバム名等が含まれている。
【００８０】
上記ジャンルコード情報は、例えば音楽ジャンルがロックである場合には爆発音や拍手音等を頻繁に入れる等、その楽曲のジャンルに応じて効果音の態様をアレンジ（自動選択・変換等）するような場合に用いられる。またこれに限らず、例えば複数の無線タグＴがある場合にジャンルコードを用いて音楽分野ごとにグループ分けして読み取りを行ったり、読み取り後のデータを音楽分野ごとにグループ分けして格納あるいは再生したりすることも可能である。
【００８１】
なお、上記したカラオケ情報の内容は一例であり、ＭＩＤＩデータ以外の情報については必ずしも含める必要はない。また、上記に述べた以外の情報（例えば音符情報等）を含めるようにしてもよい。
【００８２】
上記構成のカラオケシステム１において、カラオケ情報を記憶させた無線タグＴを作成する際には、利用者は操作端末１３０を用いてラベル作成指示の入力を行うとともに、所望の曲を選曲する。これにより、カラオケ装置本体１１０は通信回線ＮＷ及び通信制御部１１１を介してカラオケ情報を取得する。そして、カラオケ装置本体１１０はその取得したカラオケ情報中のＭＩＤＩデータ等に基づきスピーカ１７０で楽曲の再生を行うとともに、記憶部１１３から読み出した映像データと歌詞の字幕映像とを合成させて映像表示装置１４０で楽曲に対応する映像表示を行う。これにより、利用者は映像表示装置１４０に表示された歌詞を参照しつつ、楽曲の再生に合わせてマイク１６０を用いて歌唱することができる。またこのとき、カラオケ装置本体１１０の無線タグ作成部３００は、上記通信回線ＮＷを介して取得されたカラオケ情報をタグテープ３０３の無線タグ回路素子Ｔoに対し無線通信を介して書き込むとともに、対応する印刷をそのテープ表面に行い、所望の長さとなるようにテープ切断を行う。これにより、カラオケ情報が書き込まれた無線タグＴが作成される。
【００８３】
図７は、カラオケ装置本体１１０の無線タグ作成部３００で上記無線タグＴを作成する際に制御回路１２２によって実行される制御手順を表すフローチャートである。なお、制御回路１２２は、利用者が操作端末１３０を用いてラベル作成指示の入力を行った際にこのフローを開始する。
【００８４】
まずステップＳ１１０において、制御回路１２２は、利用者が選曲を行ったか否かを判定する。この判定は、選曲情報が操作端末１３０から入力制御部１１２を介して制御回路１２２に入力されたか否かを検出することによって行われる。選曲が行われるまで本ステップを繰り返し、選曲が行われると判定が満たされて次のステップＳ１２０に移る。
【００８５】
ステップＳ１２０では、制御回路１２２は、通信制御部１１１及び通信回線ＮＷを介し図示しない通信カラオケサーバに対して上記ステップＳ１１０で選曲された曲に対応するカラオケ情報の要求信号を送信し、これに対応してサーバから送信されたカラオケ情報を通信回線ＮＷ及び通信制御部１１１を介して取得する。
【００８６】
次のステップＳ１３０では、制御回路１２２はカラオケの再生を行う。すなわち、制御回路１２２は上記ステップＳ１２０で取得したカラオケ情報中のＭＩＤＩデータ及びキー設定情報をＭＩＤＩデコーダ１１８に出力する。これにより、ＭＩＤＩデコーダ１１８は入力したＭＩＤＩデータ及びキー設定情報に基づきＭＩＤＩ音源を駆動させて対応する楽曲を設定されたキーで再生させ、生成した楽曲再生データ（発音データ）をオーディオミキシングアンプ１１９に出力する。またこのとき、制御回路１２２は取得したカラオケ情報中のオーディオエフェクト設定情報及びジャンルコード情報をオーディオエフェクト生成部１１７に出力する。これにより、オーディオエフェクト生成部１１７は入力した情報に基づきコーラス音や拍手音、爆発音等の効果音であるオーディオエフェクトデータを生成し、オーディオミキシングアンプ１１９に出力する。その結果、オーディオミキシングアンプ１１９は、ＭＩＤＩデコーダ１１８で生成された楽曲再生データ（発音データ）に上記オーディオエフェクト生成部１１７で生成されたオーディオエフェクトデータ及び上記マイク１６０を介して入力される利用者の音声を加え、Ｄ／Ａ変換を行って上記スピーカ１７０に出力する。
【００８７】
一方で、制御回路１２２は、記憶部１１３から上記ステップＳ１２０で取得したカラオケ情報に対応する映像データを読み出し、映像再生部１１４に出力する。これにより、映像再生部１１４は入力した映像データを再生して映像合成部１１６に出力する。またこのとき、制御回路１２２は受信したカラオケ情報中の歌詞データを字幕映像生成部１１５に出力する。これにより、字幕映像生成部１１５は入力した歌詞データに基づき字幕映像を生成し、映像合成部１１６に出力する。その結果、映像合成部１１６は映像再生部１１４からの映像データと字幕映像生成部からの字幕データとを合成し、上記映像表示装置１４０に出力する。
【００８８】
なお、制御回路１２２は同期回路１２０に制御信号を出力することで同期回路１２０から上記オーディオミキシングアンプ１１９及び映像合成部１１６に同期信号を出力させ、オーディオミキシングアンプ１１９からスピーカ１７０への音声出力と、映像合成部１１６から映像表示装置１４０への映像出力のタイミングの同期をとる。このようにして、制御回路１２２がカラオケの再生を行うことにより、利用者は映像表示装置１４０に表示された歌詞を参照しつつ、楽曲の再生に合わせてマイク１６０を用いて歌唱することができる。
【００８９】
次のステップＳ１４０では、制御回路１２２は無線タグ作成部３００の高周波回路３０１に制御信号を出力し、高周波回路３０１によりアクセス情報を生成して装置側アンテナ３０６を介して無線タグ回路素子Ｔoへ送信させ、ＩＣ回路部１５０へ上記ステップＳ１２０で取得したカラオケ情報の書き込みを行う。また、当該カラオケ情報に基づいた印字ヘッド３０５による印字（後述の図８参照）を行う。
【００９０】
そして次のステップＳ１５０では、制御回路１２２はカッタ３０７を駆動させ、タグテープ３０３を設定された長さに切断して無線タグ回路素子Ｔoを備えた無線タグＴを作成する。そして、このフローを終了する。
【００９１】
なお、上記制御回路１２２によって実行されるステップＳ１４０の手順は、特許請求の範囲各項記載の装置側通信手段を介した無線通信により、楽曲を再生するために音源を駆動する音源駆動データを楽曲用無線タグへ書き込むデータ書き込み手段を構成する。
【００９２】
また、上記フローは本発明を上記フローに示す手順に限定するものではなく、発明の趣旨及び技術的思想を逸脱しない範囲内で手順の追加・削除又は順番の変更等をしてもよい。例えば、上記では利用者が通常のカラオケ利用時と同様に選曲を行うことにより、カラオケ装置１００で通信回線ＮＷを介して取得したカラオケ情報を用いてカラオケ再生を行いつつ、そのカラオケ情報を用いて無線タグ作成部３００で無線タグＴの作成を行うようにしたが、これに限られず、カラオケ再生を行った全曲について通信回線ＮＷを介して取得したカラオケ情報を記憶手段に記憶させておき、利用者がその中から選曲してラベル作成指示を行うと、無線タグ作成部３００が無線タグＴの作成を行うようにしてもよい。
【００９３】
図８は、上記制御により無線タグ作成部３００で作成された無線タグＴの全体概略構造の一例を表す上面図である。
【００９４】
この図８において、無線タグＴはラベル状（またはカード状でもよい）に形成されており、略長方形形状の基材２（前述のタグテープ３０３が所定の長さに切断されたもの）と、この基材２の内部に配置された、情報を記憶するＩＣ回路部１５０とこのＩＣ回路部１５０に接続されるアンテナ１５１とを備えた上記無線タグ回路素子Ｔo（図８では図示せず）とから構成されている。
【００９５】
基材２の表側（上面）には、無線タグ回路素子ＴoのＩＣ回路部１５０のメモリ部１５５に記憶されたカラオケ情報に係わる印字Ｓが印刷されている。この図８に示す例では、上記印字Ｓは、上記カラオケ情報に係る曲名、歌手名、収録アルバム、ジャンル、歌詞の歌い出し、及びキー設定を含んでいる。なお、この印字Ｓに例えば楽曲に関するコメント等の上記以外の項目を含めても（又は減らしても）よいし、文字だけでなく図形や記号、あるいは単なる色塗りや模様等、又はアーティストの顔写真や収録アルバムのジャケット画像等でもよく、何らかの形で記憶するカラオケ情報の内容を認識・識別できるものであればよい。また、印字Ｓは必ずしも印刷される必要はなく、印刷を行わないようにしてもよい。
【００９６】
図９は、上記リーダ部２００による無線タグＴからの無線タグ情報の読み取りの際に、制御回路１２２によって実行される制御手順を表すフローチャートである。
【００９７】
この図９において、まずステップＳ２１０では、制御回路１２２はリーダ部２００に制御信号を出力し、このリーダ部２００に無線タグＴの無線タグ回路素子ＴoのＩＣ回路部１５０に記憶されたカラオケ情報を読み取るための問い合わせ信号を生成させ、高周波回路２０１及びアンテナ２１０を介し、通信可能領域内に存在する無線タグＴの無線タグ回路素子Ｔoに送信し、返信を促す。
【００９８】
その後、ステップＳ２２０に移り、制御回路１２２は、上記問い合わせ信号に対応し無線タグＴの無線タグ回路素子Ｔoから送信（返信）されたリプライ信号がアンテナ２１０及び高周波回路２０１を介し受信されたかどうかを判定する。無線タグＴからリプライ信号が受信されていなければ判定が満たされずに上記ステップＳ２１０に戻り、再び問い合わせ信号の送信を繰り返す。一方、無線タグＴからリプライ信号を受信している場合には、判定が満たされて次のステップＳ２３０に移る。
【００９９】
ステップＳ２３０では、制御回路１２２は、上記受信したリプライ信号に基づき、当該リプライ信号を送信（返信）した無線タグＴの無線タグ回路素子ＴoのＩＣ回路部１５０に記憶されたカラオケ情報を読み取り取得する。前述したように、このカラオケ情報には、ＭＩＤＩデータ、歌詞データ、キー設定情報、オーディオエフェクト設定情報、及び楽曲のジャンル（クラシック、ロック、ポップス等）を表すジャンルコード情報等が含まれている。
【０１００】
次のステップＳ２４０では、上記ステップＳ１３０と同様に、制御回路１２２は、上記ステップＳ２３０で取得したカラオケ情報に基づきカラオケの再生を行う。そして、本フローを終了する。
【０１０１】
なお、上記制御回路１２２によって実行されるステップＳ２１０、ステップＳ２２０、及びステップＳ２３０の手順は、特許請求の範囲各項記載の端末側通信手段を介した無線通信により、楽曲用無線タグより音源駆動データ又は音声データを取得するデータ読み取り手段を構成する。
【０１０２】
また、上記フローは本発明を上記フローに示す手順に限定するものではなく、発明の趣旨及び技術的思想を逸脱しない範囲内で手順の追加・削除又は順番の変更等をしてもよい。例えば、上記では無線タグＴから１曲の楽曲に対応するカラオケ情報を読み出し再生させる場合を説明したが、これに限られず、無線タグＴに複数の楽曲に対応するカラオケ情報を記憶させておき、ステップＳ２３０でこれら複数の楽曲のカラオケ情報を取得し、例えば映像表示装置１４０にそれら複数の楽曲のタイトル等を一覧表示して、利用者が選択した楽曲についてステップＳ２４０で再生するようにしてもよい。
【０１０３】
以上説明した本実施形態のカラオケシステム１においては、音源を駆動して楽曲を再生するためのＭＩＤＩデータが、無線タグＴに備えられた無線タグ回路素子ＴoのＩＣ回路部１５０に記憶されている。これにより、リーダ部２００で、この無線タグＴよりＭＩＤＩデータを取得することができる。
【０１０４】
すなわち、上記実施形態のようにカラオケ装置本体１１０側に音源（上記実施形態ではＭＩＤＩデコーダ１１８）を備える場合には、無線タグＴよりＭＩＤＩデータを取得することで、そのＭＩＤＩデータに基づきカラオケ装置本体１１０側の音源で発音信号を発生させ、対応する楽曲の再生を行うことができる。このように、無線タグＴに対しカラオケ装置本体１１０のリーダ部２００で読み取りを行うだけで楽曲の再生を行えるので、利用者は自己の所望の楽曲を手軽に持ち運ぶことができ、また間違うことなく容易に再生することができる。
【０１０５】
その結果、例えば異なるカラオケ店を利用する場合や異なるメーカーのカラオケ装置を用いる場合等において、同じ曲であっても曲番号形式が異なるような場合であっても、利用者は確実に所望の曲を再生することができる。また、新曲が配信されていないカラオケ店を利用する場合であっても、その新曲を再生することができる。
【０１０６】
また本実施形態では特に、無線タグＴが有する無線タグ回路素子ＴoのＩＣ回路部１５０は、楽曲の再生時に歌詞を画像表示するための歌詞データを記憶保持している。これにより、楽曲を再生するときに併せて歌詞を表示することが可能となるので、カラオケ用の楽曲としての再生を行うことができる。
【０１０７】
また本実施形態では特に、無線タグＴが有する無線タグ回路素子ＴoのＩＣ回路部１５０は、楽曲の再生時に効果音を鳴動するためのオーディオエフェクト設定情報を記憶保持している。これにより、楽曲を再生するときに併せて効果音を再生することが可能となり、特にカラオケ用の楽曲としての再生を行うときに利用者の満足感を向上させることができる。
【０１０８】
また本実施形態では特に、無線タグＴが有する無線タグ回路素子ＴoのＩＣ回路部１５０は、楽曲の属する音楽分野に関する識別子である上記ジャンルコードを記憶保持している。これにより、ジャンルコードを活用し、楽曲のジャンルに応じた活用が可能となる。例えば、上記実施形態のように音楽分野に応じて効果音の態様をアレンジ（自動選択・変換等）するようにしたり、また複数の無線タグＴがある場合に音楽分野ごとにグループ分けして読み取りを行ったり、読み取り後のデータを音楽分野ごとにグループ分けして格納あるいは再生したりすることが可能である。
【０１０９】
また本実施形態では特に、カラオケ装置本体１１０が、上記リーダ部２００で無線タグＴより取得したＭＩＤＩデータによって駆動されるＭＩＤＩ音源を有するＭＩＤＩデコーダを備える。これにより、上記オーディオミキシングアンプ１１９でＭＩＤＩデコーダ１１８からの楽曲再生データ（発音信号）を増幅し、スピーカ１７０で上記オーディオミキシングアンプ１１９で増幅された楽曲再生データに基づき楽曲を再生することができる。また、カラオケ装置本体１１０側に音源を備えることで、無線タグＴ側に音源を備える必要がなくなる。この結果、無線タグＴのメモリの容量が少ない場合であっても所望の楽曲を手軽に持ち運ぶことができ、また持ち運べる楽曲数を増やすことができる。
【０１１０】
また本実施形態では特に、カラオケ装置１００が、タグテープ３０３を搬送するための搬送ローラ３０８と、タグテープ３０３に対し所定のテキストを印字する印字ヘッド３０５とを有し、タグテープ３０３に設けられた無線タグ回路素子Ｔoに対し、無線通信により情報送受信を行いＭＩＤＩデータを含むカラオケ情報をＩＣ回路部１５０に書き込む無線タグ作成部３００を有する。これにより、無線タグ作成部３００において、搬送ローラ３０８でタグテープ３０３を搬送し、そのタグテープ３０３に印字ヘッド３０５で印字を行い、そしてカラオケ情報をＩＣ回路部１５０に書き込むことで、所望のテキストを備えた印字付き無線タグＴを作成することができる。
【０１１１】
次に、本発明の第２の実施の形態を図面を参照しつつ説明する。本実施形態は、本発明を楽器演奏の再生に適用した場合の実施形態である。
【０１１２】
図１０は、本実施形態の演奏再生システム４（楽曲情報システム）の全体構成を表すシステム構成図である。なお、図中に示す矢印は信号の流れの一例を示すものであり、信号の流れ方向を限定するものではない。
【０１１３】
図１０において、演奏再生システム１は、ＭＩＤＩデータ等の演奏情報（音源駆動データに関連する情報。詳細は後述）を記憶するＩＣ回路部１５０及びこのＩＣ回路部１５０に接続されるタグ側アンテナ１５１を備えた無線タグ回路素子Ｔoを有する上記無線タグＴと、上記無線タグＴから取得される演奏情報に基づき、楽曲を再生する演奏再生装置４００とを有している。
【０１１４】
上記演奏再生装置４００は、再生装置本体４１０（無線タグ読み取り端末）と、上記ＭＩＤＩデータ等の演奏情報を記憶させた無線タグＴを作成するための無線タグ作成部６００と、楽器の演奏者が無線タグ作成時に演奏情報（ここでは曲名、作曲者等）の入力等の操作を行うための操作端末４３０と、再生された楽曲を音声出力するスピーカ４７０（発音手段）とを有している。なお、ここでは再生装置本体４１０と無線タグ作成部６００、操作端末４３０、及びスピーカ４７０を別体として構成しているが、これらの少なくとも１つを再生装置本体４１０と一体的に構成してもよい。
【０１１５】
上記再生装置本体４１０は、上記無線タグ作成部６００で作成され、楽器ＣＰに添付された無線タグＴの無線タグ回路素子Ｔoから無線通信を介して無線タグ情報（ここでは演奏情報）を読み取り、この読み取った情報に基づき演奏された楽曲を再生するためのリーダ部５００と、演奏者によって演奏されることにより楽器ＣＰ（この例では電子ピアノ）から出力されるＭＩＤＩデータを入力する際の入力制御を行う入力制御部４１１と、上記操作端末４３０から操作信号を入力する際の入力制御を行う入力制御部４１２とを有している。なお、ここではリーダ部５００を再生装置本体４１０に対し一体的に設けるようにしたが、別体として構成してもよい。
【０１１６】
また再生装置本体４１０は、オーディオエフェクト生成部４１７と、ＭＩＤＩデコーダ４１８（端末側音源手段）と、オーディオミキシングアンプ４１９（増幅手段）と、上記オーディオエフェクト生成部４１７及びＭＩＤＩデコーダ４１８等とバス４２１を介して接続され、演奏装置本体４１０全体の制御を行う制御回路４２２とを有している。
【０１１７】
上記楽器ＣＰは図示しないＭＩＤＩエンコーダを内蔵するＭＩＤＩ対応の電子ピアノであり、演奏者による演奏内容をＭＩＤＩデータとして出力する機能を有している。なお、ここでは楽器の一例として電子ピアノを挙げたが、これに限るものではなく、例えばシンセサイザー等の他の鍵盤楽器、バイオリン・ギター等の弦楽器、トランペット等の管楽器等、ＭＩＤＩデータの出力機能を有するＭＩＤＩ対応楽器であればその他の楽器を用いてもよい。また、ＭＩＤＩ対応でない生楽器（リコーダー等）を用い、その生演奏による音声データを適宜の変換手段によりＭＩＤＩデータに変換して入力するようにしてもよい。
【０１１８】
なお、上記リーダ部５００、無線タグ作成部６００、オーディオエフェクト生成部４１７、ＭＩＤＩデコーダ４１８、及びオーディオミキシングアンプ４１９は、前述した第１の実施形態のリーダ部２００、無線タグ作成部３００、オーディオエフェクト生成部１１７、ＭＩＤＩデコーダ１１８、及びオーディオミキシングアンプ１１９と同等の機能及び構成であるので、説明を省略する。
【０１１９】
図１１は、上記再生装置本体４１０の無線タグ作成部６００で無線タグＴを作成する際に上記制御回路４２２によって実行される制御手順を表すフローチャートである。なお、制御回路４２２は、利用者が操作端末４３０を用いてラベル作成指示の入力を行った際にこのフローを開始する。
【０１２０】
まずステップＳ３１０において、制御回路４２２は、演奏者の演奏に応じて楽器ＣＰで生成されたＭＩＤＩデータを取得する。
【０１２１】
次のステップＳ３３０では、制御回路４２２は、ＭＩＤＩデータ以外の演奏情報、例えばリズム情報、上記オーディオエフェクト設定情報、及び楽曲の属する音楽分野を表す上記ジャンルコード情報、その他楽器名、曲名、演奏者名等を取得する。なお、本実施形態におけるオーディオエフェクトデータとしては、例えばメトロノーム音等の効果音が一例として挙げられる。
【０１２２】
次のステップＳ３４０では、制御回路４２２は、上記ステップＳ３３０で取得した楽器名、曲名、演奏者名、リズム情報等に基づき作成する無線タグＴに印刷する印字情報を作成すると共に、上記ステップＳ３１０で取得したＭＩＤＩデータ及び上記ステップＳ３３０で取得したオーディオエフェクト設定情報及びジャンルコード情報に基づきタグ書き込み情報を作成する。
【０１２３】
次のステップＳ３５０では、制御回路４２２は無線タグ作成部６００の高周波回路３０１に制御信号を出力し、高周波回路６０１（図示せず）によりアクセス情報を生成して装置側アンテナ６０６を介して無線タグ回路素子Ｔoへ送信させ、ＩＣ回路部１５０へ上記ステップＳ３４０で作成したタグ書き込み情報の書き込みを行う。また、上記ステップＳ３４０で作成した印字情報に基づいた印字ヘッド３０５による印字（後述の図１２参照）を行う。
【０１２４】
そして次のステップＳ３６０では、制御回路４２２はカッタ３０７を駆動させ、タグテープ３０３を設定された長さに切断して無線タグ回路素子Ｔoを備えた無線タグＴを作成する。そして、このフローを終了する。
【０１２５】
なお、上記制御回路１２２によって実行されるステップＳ３５０の手順は、特許請求の範囲各項記載の装置側通信手段を介した無線通信により、楽曲を再生するために音源を駆動する音源駆動データを楽曲用無線タグへ書き込むデータ書き込み手段を構成する。
【０１２６】
また、上記フローは本発明を上記フローに示す手順に限定するものではなく、発明の趣旨及び技術的思想を逸脱しない範囲内で手順の追加・削除又は順番の変更等をしてもよい。例えば、ステップＳ３３０における演奏情報の取得をステップＳ３１０のＭＩＤＩデータの取得前に行うようにしてもよい。
【０１２７】
図１２は、上記制御により無線タグ作成部６００で作成された無線タグＴの全体概略構造の一例を表す上面図である。
【０１２８】
この図１２において、無線タグＴの上記基材２の表側（上面）には、無線タグ回路素子ＴoのＩＣ回路部１５０のメモリ部１５５に記憶された演奏情報に係わる印字Ｓ’が印刷されている。この図１２に示す例では、上記印字Ｓ’は、上記演奏情報に係る楽器名、曲名、演奏者名、及びリズム情報を含んでいる。なお、この印字Ｓ’に例えばテンポ等の上記以外の項目を含めても（又は減らしても）よいし、文字だけでなく図形や記号、あるいは単なる色塗りや模様等でもよく、何らかの形で記憶する演奏情報の内容を認識・識別できるものであればよい。また、印字Ｓ’は必ずしも印刷される必要はなく、印刷を行わないようにしてもよい。
【０１２９】
図１３は、上記作成された無線タグＴの無線タグ回路素子Ｔoのメモリ部１５５のデータ内容を概念的に表す図である。
【０１３０】
この図１３において、無線タグＴの無線タグ回路素子Ｔoは、無線タグ回路素子Ｔoの固有の識別情報であるＵＩＤ（Unique Identifier）と、上記演奏情報とをメモリ部１５５に記憶保持している。この演奏情報には、楽器ＣＰにより演奏された楽曲を再生するための音源駆動データであるＭＩＤＩデータと、上記オーディオエフェクト設定情報と、楽曲の属する音楽分野（クラシック、ジャズ、ロック、ポップス等）に関する識別子を表すジャンルコード情報と、その他楽器名、曲名、演奏者名、リズム情報等が含まれている。
【０１３１】
なお、上記した演奏情報の内容は一例であり、ＭＩＤＩデータ以外の情報については必ずしも含める必要はない。また、上記に述べた以外の情報（例えば音符情報等）を含めるようにしてもよい。
【０１３２】
図１４は、上記リーダ部５００による無線タグＴからの無線タグ情報の読み取りの際に、制御回路４２２によって実行される制御手順を表すフローチャートである。
【０１３３】
この図１４において、ステップＳ４１０〜ステップＳ４３０は前述の図９中ステップＳ２１０〜ステップＳ２３０と同様であり、無線タグＴの無線タグ回路素子ＴoのＩＣ回路部１５０に記憶された演奏情報を読み取るための問い合わせ信号を高周波回路２０１及びアンテナ２１０を介して送信し、これに対応して無線タグＴの無線タグ回路素子Ｔoから送信（返信）されたリプライ信号に基づき、演奏情報を読み取り取得する。
【０１３４】
次のステップＳ４４０では、上記取得した演奏情報に基づき楽器ＣＰの演奏による楽曲の再生を行う。すなわち、制御回路４２２は上記ステップＳ４３０で取得した演奏情報中のＭＩＤＩデータをＭＩＤＩデコーダ４１８に出力する。これにより、ＭＩＤＩデコーダ４１８は入力したＭＩＤＩデータに基づきＭＩＤＩ音源を駆動させて対応する楽曲を再生させ、生成した楽曲再生データ（発音データ）をオーディオミキシングアンプ４１９に出力する。またこのとき、制御回路４２２は取得した演奏情報中のオーディオエフェクト設定情報及びジャンルコード情報をオーディオエフェクト生成部４１７に出力する。これにより、オーディオエフェクト生成部４１７は入力した情報に基づきメトロノーム音等の効果音であるオーディオエフェクトデータを生成し、オーディオミキシングアンプ４１９に出力する。その結果、オーディオミキシングアンプ４１９は、ＭＩＤＩデコーダ４１８で生成された楽曲再生データ（発音データ）に上記オーディオエフェクト生成部４１７で生成されたオーディオエフェクトデータを加え、Ｄ／Ａ変換を行って上記スピーカ４７０に出力する。そして、本フローを終了する。
【０１３５】
以上のような制御が行われることにより、例えばピアノ教室の生徒が、先生による手本演奏情報が書き込まれた無線タグＴを再生装置本体４１０のリーダ部５００に読み取らせ、その手本演奏を再生させながら楽器の練習を行うといったことが可能となる。なお、上記では無線タグＴを楽器ＣＰに添付するようにしたが、これに限られず、例えば楽譜に無線タグＴを添付してもよいし、または生徒が無線タグＴを単体で所持するようにしてもよい。
【０１３６】
なお、上記制御回路４２２によって実行されるステップＳ４１０、ステップＳ４２０、及びステップＳ４３０の手順は、特許請求の範囲各項記載の端末側通信手段を介した無線通信により、楽曲用無線タグより音源駆動データ又は音声データを取得するデータ読み取り手段を構成する。
【０１３７】
また、上記フローは本発明を上記フローに示す手順に限定するものではなく、発明の趣旨及び技術的思想を逸脱しない範囲内で手順の追加・削除又は順番の変更等をしてもよい。例えば、前述の第１の実施形態のように演奏再生装置４００に映像表示装置を設けておき、楽器演奏の再生と共にその演奏に係わる情報（曲名、リズム、音符情報等）を表示するようにしてもよい。
【０１３８】
なお、本発明は、上記第１及び第２の実施形態に限られるものではなく、その趣旨及び技術思想を逸脱しない範囲で種々の変形が可能である。以下、そのような変形例を順を追って説明する。
【０１３９】
（１）無線タグに音源情報を記憶保持させる場合
上記実施形態では、ＭＩＤＩ音源を装置本体側（カラオケ装置本体１１０、再生装置本体４１０）に設けておき、無線タグＴから読み取ったＭＩＤＩデータに基づいて装置側のＭＩＤＩ音源を駆動し楽曲の再生を行うようにしたが、これに限られず、無線タグにＭＩＤＩ音源（この場合はソフトウェア音源）を記憶させるようにしてもよい。
【０１４０】
図１５は、本変形例のカラオケシステム１の全体構成を表すシステム構成図であり、前述の図１に対応する図である。本図において図１と同様の部分には同符号を付し説明を省略する。なお、図中に示す矢印は信号の流れの一例を示すものであり、信号の流れ方向を限定するものではない。
【０１４１】
図１５において、カラオケ装置本体１１０Ａ（無線タグ読み取り端末）が前述の第１の実施形態におけるカラオケ装置本体１１０と異なる点は、ＭＩＤＩデコーダ１１８を有しないことと、制御回路１２２の代わりに後述する図１７のフローに示す制御等を行う制御回路１２２Ａを有することである。なお、その他の構成はカラオケ装置本体１１０と同等である。
【０１４２】
上記カラオケ装置本体１１０Ａの無線タグ作成部３００で無線タグＴを作成する際に上記制御回路１２２Ａによって実行される制御手順は、前述の図７と同様である。このとき、本変形例では無線タグ作成部３００におけるタグタープ３０３に備えられた各無線タグ回路素子Ｔoにはソフトウェア音源が予め記憶保持されており、当該無線タグ回路素子Ｔoに対しカラオケ情報を書き込んで無線タグＴを作成するようになっている。なお、これに限られず、無線タグ作成部３００で無線タグＴを作成する際にカラオケ情報と共に音源情報（ソフトウェア音源）を無線タグ回路素子ＴoのＩＣ回路部１５０に書き込むようにしてもよい。
【０１４３】
図１６は、上記カラオケ装置本体１１０Ａの無線タグ作成部３００で作成された無線タグＴの無線タグ回路素子ＴoのＩＣ回路部メモリ部１５５のデータ内容を概念的に表す図である。
【０１４４】
この図１６において、無線タグＴの無線タグ回路素子Ｔoは、無線タグ回路素子Ｔoの固有の識別情報であるＵＩＤ（Unique Identifier）と、カラオケ情報に含まれるＭＩＤＩデータにより駆動されて音声データを出力可能なソフトウェア音源（タグ側音源手段）と、カラオケ情報とをメモリ部１５５に記憶保持している。なお、上記カラオケ情報の内容は、前述の第１の実施形態と同様である。
【０１４５】
図１７は、上記カラオケ装置本体１１０Ａのリーダ部２００による無線タグＴからの無線タグ情報の読み取りの際に、制御回路１２２Ａによって実行される制御手順を表すフローチャートであり、前述の図９に対応する図である。
【０１４６】
この図１７において、ステップＳ２１０及びステップＳ２２０は前述の図９と同様であり、制御回路１２２Ａはリーダ部２００にカラオケ情報を読み取るための問い合わせ信号を生成させ、高周波回路２０１及びアンテナ２１０を介し無線タグＴの無線タグ回路素子Ｔoに送信し、これに対応して無線タグ回路素子Ｔoから送信（返信）されたリプライ信号がアンテナ２１０及び高周波回路２０１を介し受信されたかどうかを判定する。無線タグＴからリプライ信号を受信している場合には、判定が満たされて次のステップＳ２３０Ａに移る。
【０１４７】
ステップＳ２３０では、制御回路１２２Ａは、上記受信したリプライ信号に基づき、当該リプライ信号を送信（返信）した無線タグＴの無線タグ回路素子ＴoのＩＣ回路部１５０に記憶されたカラオケ情報及びＩＣ回路部１５０に記憶されたソフトウェア音源により復号された音声データを読み取り取得する。上記音声データは、無線タグＴの無線タグ回路素子Ｔoの上記制御部１５７の制御により、上記メモリ部１５５に記憶保持されたソフトウェア音源を用いて同じくメモリ部１５５に記憶されたカラオケ情報中のＭＩＤＩデータを復号させることにより生成されるデータである。
【０１４８】
そして、次のステップＳ２４０Ａでは、制御回路１２２Ａは、上記ステップＳ２３０Ａで取得したカラオケ情報及び音声データに基づきカラオケの再生を行う。なおこのとき、制御回路１２２Ａは上記音声データをバス１２１を介してオーディオミキシングアンプ１１９に出力する。これにより、オーディオミキシングアンプ１１９は、入力された音声データに、上記オーディオエフェクト生成部１１７で生成されたオーディオエフェクトデータ及び上記マイク１６０を介して入力される利用者の音声データを加え、Ｄ／Ａ変換を行って上記スピーカ１７０に出力するようになっている。そして、本フローを終了する。
【０１４９】
以上説明したように、本変形例では、前述の第１の実施形態におけるＭＩＤＩデコーダ１１８によって行われた（ＭＩＤＩデータに基づき音源を駆動させて行う）楽曲の再生を、無線タグＴのソフトウェア音源によって行い、これにより復号された音声データを無線通信により読み取ってカラオケ装置１００で再生を行うようになっている。
【０１５０】
なお、上記制御回路１２２Ａによって実行されるステップＳ２１０、ステップＳ２２０、及びステップＳ２３０Ａの手順は、特許請求の範囲各項記載の端末側通信手段を介した無線通信により、楽曲用無線タグより音源駆動データ又は音声データを取得するデータ読み取り手段を構成する。
【０１５１】
また、上記フローは本発明を上記フローに示す手順に限定するものではなく、発明の趣旨及び技術的思想を逸脱しない範囲内で手順の追加・削除又は順番の変更等をしてもよい。
【０１５２】
以上説明した変形例においては、無線タグＴの無線タグ回路素子ＴoのＩＣ回路部１５０にソフトウェア音源を記憶保持するので、無線タグ回路素子ＴoにおいてＭＩＤＩデータを用いてそのソフトウェア音源で音声データを復号させ、その復号した音声データをカラオケ装置本体１１０Ａのリーダ部２００で取得することができる。これにより、その音声データに基づく発音信号を用いて対応する楽曲の再生を行うことができる。このようにして、本変形例においても前述の第１の実施形態と同様に無線タグＴに対しカラオケ装置本体１１０Ａのリーダ部２００で読み取りを行うだけで楽曲の再生を行えるので、利用者は自己の所望の楽曲を手軽に持ち運ぶことができ、また間違うことなく容易に再生することができる。
【０１５３】
また本変形例によれば、無線タグＴ側にソフトウェア音源を備えることで、カラオケ装置側に音源がなかったりスペックが足りなかったりしても、単に読み取り機能さえあれば所望の楽曲を確実に再生することができる。その結果、例えば楽曲の再生に用いられる音源設備のスペックが十分でないカラオケ店を利用する場合であっても、利用者が所望する音で楽曲の再生を行うことができる。
【０１５４】
なお、上記変形例においては、無線タグＴの無線タグ回路素子ＴoにおいてＭＩＤＩデータを用いてそのソフトウェア音源で音声データを復号させ、その復号した音声データをカラオケ装置本体１１０Ａのリーダ部２００で取得するようにしたが、これに限られない。例えば、カラオケ装置本体１１０Ａのリーダ部２００で無線タグＴの無線タグ回路素子ＴoからＭＩＤＩデータ及びソフトウェア音源データの両方を読み取って取得するようにし、カラオケ装置本体１１０Ａ側で取得したＭＩＤＩデータ及びソフトウェア音源を用いて音声データを復号させるようにしてもよい。これによっても、上記変形例と同様の効果を得ることができる。
【０１５５】
また上記変形例は、第１実施形態の変形例として記載したが、本変形例を前述した第２実施形態に適用してよいのは言うまでもない。この場合には、例えば演奏再生装置４００が再生しようとする演奏楽器に対応する音源を有していない場合であっても、演奏された楽器に対応する音で演奏の再生を行うことができる。
【０１５６】
（２）無線タグに課金情報を記憶保持させる場合
上記実施形態では特に考慮しなかったが、無線タグＴの作成時や利用時に、利用者に対し課金を行うようにしてもよい。
【０１５７】
図１８は、本変形例において無線タグ作成部３００で上記無線タグＴを作成する際に制御回路１２２Ｂ（図示せず）によって実行される制御手順を表すフローチャートであり、前述の図７に対応する図である。なお、上記制御回路１２２Ｂは、利用者が操作端末１３０を用いてラベル作成指示の入力を行った際にこのフローを開始する。
【０１５８】
ステップＳ１１０〜ステップＳ１３０は前述の図７と同様であり、制御回路１２２Ｂは、利用者により選曲が行われるとその選曲された曲に対応するカラオケ情報を通信回線ＮＷ及び通信制御部１１１を介して取得し、このカラオケ情報に基づいてカラオケの再生を行う。
【０１５９】
次のステップＳ１３５では、課金情報を作成する。この課金情報とは、タグに書き込まれる曲に応じて予め設定された金額の情報であり、利用者が無線タグＴを利用して楽曲の再生を行う度に当該課金情報に応じた金額が課されるようになっている（詳細は後述）。
【０１６０】
次のステップＳ１４０Ａでは、制御回路１２２Ｂは無線タグ作成部３００の高周波回路３０１に制御信号を出力し、高周波回路３０１によりアクセス情報を生成して装置側アンテナ３０６を介して無線タグ回路素子Ｔoへ送信させ、ＩＣ回路部１５０へ上記ステップＳ１２０で取得したカラオケ情報及び上記ステップＳ１３５で作成した課金情報の書き込みを行う。また、当該カラオケ情報に基づいた印字ヘッド３０５による印字を行う。
【０１６１】
そして次のステップＳ１５０で、タグテープ３０３を設定された長さに切断して無線タグ回路素子Ｔoを備えた無線タグＴを作成し、このフローを終了する。
【０１６２】
なお、上記制御回路１２２Ｂによって実行されるステップＳ１３５の手順は、特許請求の範囲各項記載のデータ書き込み手段による楽曲用無線タグへのデータ書き込み、及び、無線タグ回路素子におけるタグ側音源手段の有無の少なくとも一方に応じた課金データを生成し出力する装置側課金情報生成手段を構成する。
【０１６３】
また、上記フローは本発明を上記フローに示す手順に限定するものではなく、発明の趣旨及び技術的思想を逸脱しない範囲内で手順の追加・削除又は順番の変更等をしてもよい。例えば、ステップＳ１３０とステップＳ１３５の順番を反対にしてもよい。
【０１６４】
図１９は、上記制御により作成された無線タグＴを利用する際に、制御回路１２２Ｂ（図示せず）によって実行される制御手順を表すフローチャートであり、前述の図９に対応する図である。
【０１６５】
ステップＳ２１０及びステップＳ２２０は前述の図９と同様であり、制御回路１２２Ｂはリーダ部２００にカラオケ情報を読み取るための問い合わせ信号を生成させ、高周波回路２０１及びアンテナ２１０を介し無線タグＴの無線タグ回路素子Ｔoに送信し、これに対応して無線タグ回路素子Ｔoから送信（返信）されたリプライ信号がアンテナ２１０及び高周波回路２０１を介し受信されたかどうかを判定する。無線タグＴからリプライ信号を受信している場合には、判定が満たされて次のステップＳ２３０Ｂに移る。
【０１６６】
ステップＳ２３０Ｂでは、制御回路１２２Ｂは、上記受信したリプライ信号に基づき、当該リプライ信号を送信（返信）した無線タグＴの無線タグ回路素子ＴoのＩＣ回路部１５０に記憶されたカラオケ情報及び上記課金情報を読み取り取得する。前述したように、この課金情報は利用者が無線タグＴを利用して楽曲の再生を行う度に課される金額を表す情報である。
【０１６７】
次のステップＳ２４０では、制御回路１２２Ｂは上記ステップＳ２３０で取得したカラオケ情報に基づきカラオケの再生を行う。なおこのとき、無線タグＴから読み出したカラオケ情報については、カラオケ装置本体１１０（例えば記憶部１１３）に記憶させることができないようになっている（但し、例えば自宅で簡易的なカラオケ装置を用いて個人的に無線タグＴを用いるような場合には、カラオケ装置に記憶可能としてもよい）。これにより、無線タグＴに記憶された楽曲の不正な利用の防止を図れるようになっている。
【０１６８】
次のステップＳ２５０では、制御回路１２２Ｂは、上記ステップＳ２３０Ｂで取得した課金情報を例えば当該カラオケ装置が設置されるカラオケ店の端末等に送信する。これにより、利用者がカラオケ利用料を精算する際に併せて無線タグＴの利用料を精算することが可能となっている。そして、本フローを終了する。
【０１６９】
なお、上記制御回路１２２Ｂによって実行されるステップＳ２５０の手順は、特許請求の範囲各項記載のデータ読み取り手段による楽曲用無線タグからのデータ取得に応じた課金データを生成し出力する端末側課金情報生成手段を構成する。
【０１７０】
また、上記フローは本発明を上記フローに示す手順に限定するものではなく、発明の趣旨及び技術的思想を逸脱しない範囲内で手順の追加・削除又は順番の変更等をしてもよい。例えば、ステップＳ２４０とステップＳ２５０の順番を反対にしてもよい。
【０１７１】
以上説明した変形例によれば、利用者の無線タグＴの利用に対応して課金を行うことが可能となり、楽曲提供サービスを実現することができる。また楽曲数、各楽曲のデータ量、カラオケ装置本体１１０側の音源の有無（音源の利用の有無）等に応じ、課金額を増減することも可能となり、利用者のニーズに対応したきめ細かなサービスを行うことができる。
【０１７２】
なお、上記では、無線タグＴに課金情報を記憶させておき、無線タグＴを利用する度にその課金情報に応じた金額を利用者に課金するようにしたが、課金の形態はこれに限られない。すなわち、無線タグＴの作成時にタグに書き込まれる曲に応じた所定の金額を課すようにし、作成後は無線タグＴを何回でも無料で利用可能としてもよい。この場合、例えばカラオケ装置本体１１０に料金投入口を設けておき、無線タグＴの作成時に利用者が選曲した楽曲に対応する金額を投入するようにすればよい。または、例えばカラオケ装置本体１１０にリーダ・ライタを設けておき、利用者の携帯電話等に記憶保持された電子マネー情報から対応する金額を減額するようにしてもよい。
【０１７３】
さらには、無線タグＴの作成時に利用者が設定した金額情報を無線タグ回路素子Ｔoに書き込む（チャージする）ようにし、無線タグＴを利用する度にその金額情報から所定の金額を減額するようにしてもよい（いわゆるプリペイド方式）。
【０１７４】
また上記変形例は、第１実施形態の変形例として記載したが、本変形例を前述した第２実施形態に適用してもよい。
【０１７５】
（３）合奏可能な構成とする場合
上記実施形態では特に考慮しなかったが、リーダ部に複数の無線タグＴを読み取らせ、それらを合奏可能なようにしてもよい。
【０１７６】
図２０は、本変形例のリーダ部２００による無線タグＴからの無線タグ情報の読み取りの際に、制御回路１２２Ｃ（図示せず）によって実行される制御手順を表すフローチャートであり、前述の図１４に対応する図である。
【０１７７】
ステップＳ４１０〜ステップＳ４２０は前述の図１４と同様であり、無線タグＴの無線タグ回路素子ＴoのＩＣ回路部１５０に記憶された演奏情報を読み取るための問い合わせ信号を高周波回路２０１及びアンテナ２１０を介して送信し、これに対応して無線タグＴの無線タグ回路素子Ｔoから送信（返信）されたリプライ信号を受信したか否かを判定する。受信した場合には判定が満たされて次のステップＳ４２５に移る。
【０１７８】
ステップＳ４２５では、上記ステップＳ４２０で受信したリプライ信号が複数の無線タグＴから受信したものか否かを判定する。１つの無線タグＴからリプライ信号を受信した場合には、判定が満たされずにステップＳ４３０に移る。
【０１７９】
ステップＳ４３０〜ステップＳ４４０は前述の図１４と同様であり、上記ステップＳ４２０で受信したリプライ信号に基づき無線タグ情報（楽器演奏に対応するＭＩＤＩデータ等）を取得し、この取得した情報に基づき楽器ＣＰの演奏による楽曲の再生を行う。そして、ステップＳ４７０に移る。
【０１８０】
一方、先のステップＳ４２５において、複数の無線タグＴからリプライ信号を受信した場合には、判定が満たされてステップＳ４５０に移る。
【０１８１】
ステップＳ４５０では、上記ステップＳ４２０で受信した複数のリプライ信号に対応する全無線タグ情報（楽器演奏に対応するＭＩＤＩデータ等）を取得する。
【０１８２】
次のステップＳ４６０では、上記ステップＳ４５０で取得した複数の無線タグＴの演奏情報に基づき楽曲の再生（合奏）を行う。そして、ステップＳ４７０に移る。
【０１８３】
ステップＳ４７０では、楽曲の再生が終了したか否かを判定する。終了している場合には、本フローを終了する。一方、終了していない場合には判定が満たされずにステップＳ４７５に移る。
【０１８４】
ステップＳ４７５及びステップＳ４８０は、先のステップＳ４１０及びステップＳ４２０と同様であり、無線タグＴの無線タグ回路素子ＴoのＩＣ回路部１５０に記憶された演奏情報を読み取るための問い合わせ信号を高周波回路２０１及びアンテナ２１０を介して送信し、これに対応して無線タグＴの無線タグ回路素子Ｔoから送信（返信）されたリプライ信号を受信したか否かを判定する。受信していない場合には、判定が満たされずに本フローを終了する。一方、受信している場合には、判定が満たされてステップＳ４９０に移る。
【０１８５】
ステップＳ４９０では、上記ステップＳ４８０で受信したリプライ信号に基づき無線タグ情報（楽器演奏に対応するＭＩＤＩデータ等）を取得する。そして、先のステップＳ４６０に戻る。
【０１８６】
以上のような制御が行われることにより、例えば操作者が異なる楽器（ピアノとバイオリン等）による同じ曲の演奏情報が書き込まれた複数の無線タグＴを再生装置本体４１０のリーダ部５００に読み取らせることにより、楽曲を複数の楽器で合奏させて再生することができる（ステップＳ４２５→ステップＳ４５０→ステップＳ４６０参照）。さらに、最初に１つの無線タグＴを読み取らせて所定の楽器による演奏を再生させておき、演奏途中で異なる無線タグＴを読み取らせて曲の途中から複数の楽器による合奏を開始させることも可能である（ステップＳ４８０→ステップＳ４９０→ステップＳ４６０参照）。これにより、例えばオーケストラによる楽曲を各楽器のパートごとにＭＩＤＩデータとして複数の無線タグＴに記憶させておき、全無線タグＴを読み取らせることでフルオーケストラの音で再生を行ったり、ピアノ協奏曲をピアノとオーケストラのパートに分けて複数の無線タグＴに記憶させておき、ピアノ教室の生徒がオーケストラ部分だけを再生させてピアノを練習する（さらに途中から先生によるピアノの手本演奏を合奏させる）等の多様な利用形態が可能となる。
【０１８７】
なお、上記制御回路１２２Ｃによって実行されるステップＳ４６０の手順は、特許請求の範囲各項記載の端末側通信手段を介し、データ読み取り手段が複数の楽曲用無線タグそれぞれより同時に又は順次取得した音源駆動データ又は音声データを、互いに調和するように関連づける関連処理手段を構成する。
【０１８８】
また、上記フローは本発明を上記フローに示す手順に限定するものではなく、発明の趣旨及び技術的思想を逸脱しない範囲内で手順の追加・削除又は順番の変更等をしてもよい。
【０１８９】
以上説明した変形例によれば、利用者が複数の無線タグＴを読み取らせることで、上述したようにそれぞれに対応した楽曲を合わせて再生したり（合奏等）、途中から一緒に再生したり（部分合奏等）することができる。さらには、片方を途中で停止してもう片方を再生したり（割り込み）、２曲連続して再生したり（再生予約）といったことも可能となる。
【０１９０】
なお、上記変形例では特に記載しなかったが、複数の無線タグＴを読み取らせて合奏させる場合に、それぞれの無線タグＴの演奏情報（例えばジャンルコード等）同士を照合するようにしてもよい。
【０１９１】
図２１は、上記の場合においてリーダ部２００による無線タグＴからの無線タグ情報の読み取りの際に、制御回路１２２Ｄ（図示せず）によって実行される制御手順を表すフローチャートであり、前述の図２０に対応する図である。
【０１９２】
本フローチャートが前述の図２０と異なる点は、ステップＳ４５５及びステップＳ４９５を加えた点である。すなわち、制御回路１２２Ｄは、ステップＳ４５０で取得した複数の無線タグ情報（ジャンルコード等）同士を、次のステップＳ４５５で比較照合し、それらが一致する場合にはステップＳ４６０で合奏させ、一致しない場合にはステップＳ４９５に移り、報知手段（スピーカや映像表示装置等）により適宜のエラー報知（例えば「ジャンルが違うので合奏困難です」「読み取り間違いではありませんか？」等）を行わせる。
【０１９３】
これにより、照合結果が一致しない複数の楽曲（例えばジャンルの全く異なる楽曲や、その楽曲を構成する楽器とは異なる楽器で演奏された楽曲等）に関わる無線タグＴを利用者が読み取らせた場合に、上記報知手段でその旨の表示を利用者に報知又は警告することにより利用者に無線タグＴの交換を促すことができる。さらには、例えば非再生処理手段を設けて照合結果が一致しない楽曲の再生を実行しないようにするといったことが可能である。
【０１９４】
なお、上記制御回路１２２Ｄによって実行されるステップＳ４５０の手順は、特許請求の範囲各項記載の端末側通信手段を介した無線通信により、複数の楽曲用無線タグそれぞれが記憶した楽曲の属する音楽分野を同時に又は順次取得する識別子取得手段を構成し、ステップＳ４５５の手順は識別子取得手段で取得した複数の楽曲用無線タグそれぞれに係わる複数の識別子を照合する照合手段を構成する。
【０１９５】
また、上記フローは本発明を上記フローに示す手順に限定するものではなく、発明の趣旨及び技術的思想を逸脱しない範囲内で手順の追加・削除又は順番の変更等をしてもよい。
【０１９６】
また上記した変形例は、第２実施形態の変形例として記載したが、本変形例を前述した第１実施形態に適用してもよい。
【０１９７】
（４）カラオケ情報のサイズをタグ容量に合わせる場合
上記実施形態では特に考慮しなかったが、無線タグＴの作成時に、曲によってはカラオケ情報のデータ容量が無線タグ回路素子Ｔo（ＩＣ回路部のメモリ部１５５）のメモリ容量よりも大きくなり、書き込みが不可能となる場合も考えられる。本変形例は、このような場合にカラオケ情報のデータ容量を低容量化するものである。
【０１９８】
図２２は、本変形例において無線タグ作成部３００で上記無線タグＴを作成する際に制御回路１２２Ｅ（図示せず）によって実行される制御手順を表すフローチャートであり、前述の図７に対応する図である。なお、制御回路１２２Ｅは、利用者が操作端末１３０を用いてラベル作成指示の入力を行った際にこのフローを開始する。
【０１９９】
ステップＳ１１０〜ステップＳ１３０は前述の図７と同様であり、制御回路１２２Ｅは、利用者により選曲が行われるとその選曲された曲に対応するカラオケ情報を通信回線ＮＷ及び通信制御部１１１を介して取得し、このカラオケ情報に基づいてカラオケの再生を行う。
【０２００】
次のステップＳ１３３では、制御回路１２２Ｅは、上記ステップＳ１２０で取得したカラオケ情報のデータ容量を書き込み対象である無線タグ回路素子Ｔo（ＩＣ回路部のメモリ部１５５）のメモリ容量と比較し、データ容量が大きく情報書き込みが困難であるか否かを判定する。データ容量が小さく情報書き込みが可能である場合には、判定が満たされずにステップＳ１４０に移る。一方、データ容量が大きく情報書き込みが困難である場合には、判定が満たされて次のステップＳ１３５に移る。
【０２０１】
ステップＳ１３５では、制御回路１２２Ｅは、上記ステップＳ１２０で取得したカラオケ情報のデータ容量の低容量化処理を行う。この低容量化処理は、例えばＭＩＤＩデータ中の音色を減らす若しくはＭＩＤＩデータのサンプリング周波数を小さくする、または楽曲の一部を削除する（例えばサビ部分だけにする、あるいは１コーラスだけにする等）こと等によって行われる。また、前述した変形例（１）のように無線タグＴに音源情報を書き込む場合には、その音源情報を削除する（又は簡易化する）ことにより低容量化してもよい。
【０２０２】
以降のステップＳ１４０及びステップＳ１５０は前述の図７と同様であるので説明を省略する。
【０２０３】
なお、上記フローは本発明を上記フローに示す手順に限定するものではなく、発明の趣旨及び技術的思想を逸脱しない範囲内で手順の追加・削除又は順番の変更等をしてもよい。例えば、ステップＳ１３０と、ステップＳ１３３及びステップＳ１３５との順番を反対にしてもよい。また、上記ではステップＳ１３５において制御回路１２２Ｅがカラオケ情報の低用量化処理を自動的に行うようにしたが、これに限られず、操作者が何のデータを削除する（あるいは簡易化する）かを例えば操作端末１３０を用いて手動で入力するようにしてもよい。
【０２０４】
また上記変形例は、第１実施形態の変形例として記載したが、本変形例を前述した第２実施形態に適用してもよい。
【０２０５】
（５）その他
なお、以上では、本発明をカラオケ装置や楽器演奏の再生装置に適用した場合を一例として示したが、本発明はこれ以外にも、例えばリーダ機能を有する携帯電話で無線タグＴに記憶されたＭＩＤＩデータを読み取り再生する場合等、楽曲を再生する装置であれば種々多様な装置に適用可能である。上記の場合、無線タグＴから読み取ったＭＩＤＩデータを例えば着メロとして使用することが可能となる。
【０２０６】
また、以上では、タグテープ３０３にカラオケ情報（又は演奏情報）に係わる印字を行いカッタ３０７で切断して印字付きの無線タグＴを作成する場合を例にとって説明したが、無線タグＴにおけるカラオケ情報（又は演奏情報）の表示手法としては上記印字に限られず、その他の被表示媒体を用いるようにしてもよい。
【０２０７】
また、以上では、無線タグＴを作成する際に、無線タグ回路素子Ｔoへの書き込み用のＭＩＤＩデータを含むカラオケ情報をカラオケ専用回線から取得、またはお手本演奏情報を楽器から取得する場合を例にとって説明したが、これに限られず、これらカラオケ情報または演奏情報が記憶されたＣＤやメモリカード等のメディアから取得するようにしてもよい。
【０２０８】
また、以上においては、無線タグＴに備えられる無線タグ回路素子Ｔoのタグ側アンテナ１５１の種類を特に明記しなかったが、このタグ側アンテナとしてコイル状のループアンテナを用い、ＨＦ帯を用いて磁気誘導（電磁誘導、磁気結合、その他電磁界を介して行われる非接触方式を含む）によりリーダ部側のアンテナと情報送受信を行うようにしてもよい。
【０２０９】
さらに以上においては、無線タグ作成部において、印字及び無線タグ回路素子Ｔoへのアクセスの終了した印字済みタグラベル用テープをカッタ３０７で切断して無線タグＴを作成した場合を例にとって説明したが、これに限られない。すなわち、所定の大きさに予め分離されたラベル台紙（いわゆるダイカットラベル）がロールから繰り出されるテープ上に連続配置されているような場合には、カッタ３０７で切断しなくても、テープが排出口から排出されてきた後にラベル台紙（アクセス済みの無線タグ回路素子Ｔoが備えられかつ対応する印字がなされたもの）のみをテープから剥がして無線タグＴを作成しても良く、本発明はこのようなものに対しても適用できる。
【０２１０】
また、以上既に述べた以外にも、上記実施形態や各変形例による手法を適宜組み合わせて利用しても良い。
【０２１１】
その他、一々例示はしないが、本発明は、その趣旨を逸脱しない範囲内において、種々の変更が加えられて実施されるものである。
【図面の簡単な説明】
【０２１２】
【図１】第１の実施形態のカラオケシステムの全体構成を表すシステム構成図である。
【図２】無線タグ作成部の構成を概念的に表す全体構成図である。
【図３】リーダ部の構成を概念的に表す全体構成図である。
【図４】高周波回路の詳細構成を表す機能ブロック図である。
【図５】無線タグに備えられた無線タグ回路素子の機能的構成の一例を表すブロック図である。
【図６】メモリ部のデータ内容を概念的に表す図である。
【図７】カラオケ装置本体の無線タグ作成部で無線タグを作成する際に制御回路によって実行される制御手順を表すフローチャートである。
【図８】無線タグ作成部で作成された無線タグの全体概略構造の一例を表す上面図である。
【図９】リーダ部による無線タグからの無線タグ情報の読み取りの際に、制御回路によって実行される制御手順を表すフローチャートである。
【図１０】第２の実施形態の演奏再生システムの全体構成を表すシステム構成図である。
【図１１】再生装置本体の無線タグ作成部で無線タグを作成する際に制御回路によって実行される制御手順を表すフローチャートである。
【図１２】無線タグ作成部で作成された無線タグの全体概略構造の一例を表す上面図である。
【図１３】作成された無線タグの無線タグ回路素子のメモリ部のデータ内容を概念的に表す図である。
【図１４】リーダ部による無線タグからの無線タグ情報の読み取りの際に、制御回路によって実行される制御手順を表すフローチャートである。
【図１５】無線タグに音源情報を記憶保持させる場合の変形例のカラオケシステムの全体構成を表すシステム構成図である。
【図１６】カラオケ装置本体の無線タグ作成部で作成された無線タグの無線タグ回路素子のＩＣ回路部メモリ部のデータ内容を概念的に表す図である。
【図１７】カラオケ装置本体のリーダ部による無線タグからの無線タグ情報の読み取りの際に、制御回路によって実行される制御手順を表すフローチャートである。
【図１８】無線タグに課金情報を記憶保持させる場合の変形例において、無線タグ作成部で無線タグを作成する際に制御回路によって実行される制御手順を表すフローチャートである。
【図１９】作成された無線タグを利用する際に、制御回路によって実行される制御手順を表すフローチャートである。
【図２０】合奏可能な構成とする場合の変形例において、リーダ部による無線タグからの無線タグ情報の読み取りの際に、制御回路によって実行される制御手順を表すフローチャートである。
【図２１】無線タグの演奏情報同士を照合する場合において、リーダ部による無線タグからの無線タグ情報の読み取りの際に、制御回路によって実行される制御手順を表すフローチャートである。
【図２２】カラオケ情報のサイズをタグ容量に合わせる場合の変形例において、無線タグ作成部で無線タグを作成する際に制御回路によって実行される制御手順を表すフローチャートである。
【符号の説明】
【０２１３】
１              カラオケシステム（楽曲情報システム）
４              演奏再生システム（楽曲情報システム）
１１０          カラオケ装置本体（無線タグ読み取り端末）
１１０Ａ        カラオケ装置本体（無線タグ読み取り端末）
１１８          ＭＩＤＩデコーダ（端末側音源手段）
１１９          オーディオミキシングアンプ（増幅手段）
１２２          制御回路
１２２Ａ        制御回路
１２２Ｂ        制御回路
１２２Ｃ        制御回路
１２２Ｄ        制御回路
１２２Ｅ        制御回路
１５０          ＩＣ回路部
１５１          タグ側アンテナ
１７０          スピーカ（発音手段）
２１０          アンテナ（端末側通信手段）
３００          無線タグ作成部（無線タグ作成装置）
３０３          タグテープ（被表示媒体、被印字媒体、タグ媒体）
３０５          印字ヘッド（印字手段）
３０６          アンテナ（装置側通信手段）
３０８          搬送ローラ（搬送手段）
４１０          再生装置本体（無線タグ読み取り端末）
４１８          ＭＩＤＩデコーダ（端末側音源手段）
４１９          オーディオミキシングアンプ（増幅手段）
４２２          制御回路
４７０          スピーカ（発音手段）
６００          無線タグ作成部（無線タグ作成装置）
Ｔ              無線タグ（楽曲用無線タグ）
Ｔo             無線タグ回路素子
【図１】
2008268693.tif 000003
【図２】
2008268693.tif 000004
【図３】
2008268693.tif 000005
【図４】
2008268693.tif 000006
【図５】
2008268693.tif 000007
【図６】
2008268693.tif 000008
【図７】
2008268693.tif 000009
【図８】
2008268693.tif 000010
【図９】
2008268693.tif 000011
【図１０】
2008268693.tif 000012
【図１１】
2008268693.tif 000013
【図１２】
2008268693.tif 000014
【図１３】
2008268693.tif 000015
【図１４】
2008268693.tif 000016
【図１５】
2008268693.tif 000017
【図１６】
2008268693.tif 000018
【図１７】
2008268693.tif 000019
【図１８】
2008268693.tif 000020
【図１９】
2008268693.tif 000021
【図２０】
2008268693.tif 000022
【図２１】
2008268693.tif 000023
【図２２】
2008268693.tif 000024